(57)【特許請求の範囲】
【請求項１】
３ライン色分離回路からなり、入力されたコンポジット映像信号から色信号を分離する色分離部と、
該色分離部の出力信号の帯域を狭めるための、通過帯域が切換え可能な帯域通過フィルタと、
前記コンポジット映像信号から前記色分離部により分離された色信号を差し引くことで輝度信号を分離する輝度分離部と、
前記コンポジット映像信号から輝度信号の斜め成分を検出する輝度斜め成分検出部と、
該輝度斜め成分検出部の検出結果が輝度斜め成分が多い旨の場合に通過帯域を狭め少ない旨の場合に通過帯域を広げるように前記帯域制限フィルタの通過帯域を切換える通過帯域切換部とを備えた、
ことを特徴とする輝度信号／色信号分離装置。
【請求項２】
請求項１記載の輝度信号／色信号分離装置において、
前記帯域制限フィルタは、通過帯域の広い広帯域通過フィルタと通過帯域の狭い狭帯域通過フィルタとを具備し、
該帯域通過フィルタを前記色分離部の入力側に設けるとともに、
前記通過帯域切換部は、輝度信号の斜め成分が多い場合は狭帯域通過フィルタに、輝度信号の斜め成分が少ない場合は広帯域通過フィルタに切換える、
ことを特徴とする輝度信号／色信号分離装置。
【請求項３】
請求項２記載の輝度信号／色信号分離装置において、
前記帯域制限フィルタは、通過帯域の広い広帯域通過フィルタと通過帯域の狭い狭帯域通過フィルタとをこの順に直列接続してなり、
前記通過帯域切換部は、前記広帯域通過フィルタの出力信号あるいは前記狭帯域通過フィルタの出力信号のいずれか一方を選択することで、前記帯域制限フィルタの帯域通過特性を切り換える、
ことを特徴とする輝度信号／色信号分離装置。
【請求項４】
請求項１記載の輝度信号／色信号分離装置において、
前記色分離部は、
色分離を行う際の基準となる基準ラインのコンポジット映像信号の前，後のラインのコンポジット映像信号を反転する第１，第２の反転部と、
前記第１，第２の反転部の出力信号と前記基準ラインのコンポジット映像信号とにおける最大値と最小値の中間の値を検出し、該中間の値を色信号として出力する中間値検出部とを備えた、
ことを特徴とする輝度信号／色信号分離装置。
【請求項５】
請求項４記載の輝度信号／色信号分離装置において、
前記中間値検出部は、
前記第１の反転部の出力信号と前記基準ラインのコンポジット映像信号との最小値，最大値を検出する第１の最小値部，最大値部と、
前記第２の反転部の出力信号と前記基準ラインのコンポジット映像信号との最小値，最大値を検出する第２の最小値部，最大値部と、
前記第１の最小値部の出力信号と前記第２の最小値部の出力信号との最小値，最大値を検出する第３の最小値部，最大値部と、
前記第１の最大値部の出力信号と前記第２の最大値部の出力信号との最小値，最大値を検出する第４の最小値部，最大値部と、
前記第３の最小値部の出力信号と前記第４の最大値部の出力信号とを加算する第１の加算部と、
該第１の加算部の出力信号を２分の１にする２分の１部と、
前記第３の最大値部の出力信号と前記２分の１部の出力信号との最小値を検出する第５の最小値部と、
前記第４の最小値部の出力信号と前記２分の１部の出力信号との最小値を検出する第６の最小値部と、
前記第３の最大値部の出力信号と前記第４の最小値部の出力信号との最小値を検出する第７の最小値部と、
前記第５，第６，第７の最小値部の出力信号の最大値を検出することで色信号を分離する第５の最大値部とを備えた、
ことを特徴とする輝度信号／色信号分離装置。
【請求項６】
請求項１記載の輝度信号／色信号分離装置において、
前記輝度斜め成分検出部は、
色分離を行う際の基準となる基準ラインの前，後のラインのコンポジット映像信号における互いに斜め方向にずれた信号成分同士の差の大きさである斜め差分を検出する斜め差分検出部と、
該斜め差分検出部により検出された斜め差分を第１の判定用のレベルと比較することで輝度斜め成分の有無を判定する斜め成分判定部とを備えた、
ことを特徴とする輝度信号／色信号分離装置。
【請求項７】
請求項６記載の輝度信号／色信号分離装置において、
前記斜め差分検出部は、
前記基準ラインのコンポジット映像信号とその前，後のラインのコンポジット映像信号とを加算する第２，第３の加算部と、
該第２，第３の加算部が出力するデータを遅延させる第１，第２の遅延部と、
前記第２，第３の加算部の出力と前記第２，第１の遅延部の出力とのデータの差分をとる第１，第２の差分部と、
該第１，第２の差分部により得られた差分値の絶対値をとる第１，第２の絶対値部とを有するものであり、
前記斜め成分判定部は、
前記第１，第２の絶対値部により得られた第１，第２の絶対値レベルと第１の判定用のレベルとを比較する第１，第２の比較部と、
該第１，第２の比較部による第１，第２の比較結果の論理和をとり前記コンポジット映像信号に含まれる輝度信号の斜め成分を検出する第１の論理部とを有するものである、
ことを特徴とする輝度信号／色信号分離装置。
【請求項８】
請求項１記載の輝度信号／色信号分離装置において、
前記入力されたコンポジット映像信号に対し、前記色分離部が色分離を行う際の基準となる基準ラインの前後するラインの間の垂直方向の輝度信号成分を検出する垂直輝度相関検出部をさらに備え、
該垂直輝度相関検出部が、ライン間の輝度信号の相関が高いと判定した場合、前記帯域制限フィルタの通過帯域を狭くしない、
ことを特徴とする輝度信号／色信号分離装置。
【請求項９】
請求項８記載の輝度信号／色信号分離装置において、
前記垂直輝度相関検出部は、
前記基準ラインの前後するラインのコンポジット映像信号における互いに垂直方向にずれた信号成分同士の差の大きさである垂直差分を検出する垂直差分検出部と、
該垂直差分検出部により検出された垂直差分を第２の判定用のレベルと比較することで輝度垂直相関の有無を判定する垂直相関判定部とを有するものである、
ことを特徴とする輝度信号／色信号分離装置。
【請求項１０】
請求項９記載の輝度信号／色信号分離装置において、
前記垂直差分検出部は、前記基準ライン、およびその前，後のラインのコンポジット映像信号をそれぞれ加算した第１，第２の映像信号の差をとる第３の差分部と、
該第３の差分部の出力信号の絶対値をとる第３の絶対値部とを有するものであり、
前記垂直相関判定部は、前記第３の絶対値部の出力信号と第２の判定用のレベルとを比較することで前記コンポジット映像信号に含まれる輝度信号の垂直方向の相関を検出する第３の比較部を有するものである、
ことを特徴とする輝度信号／色信号分離装置。
【請求項１１】
請求項８記載の輝度信号／色信号分離装置において、
前記垂直輝度相関検出部の検出結果の負論理と前記輝度斜め成分検出部の検出結果の正論理との論理積をとり、該論理積信号を前記輝度斜め成分検出部の検出結果に代えて前記通過帯域切換部に対し切換制御信号として出力する第２の論理部をさらに備えた、
ことを特徴とする輝度信号／色信号分離装置。
【請求項１２】
請求項８記載の輝度信号／色信号分離装置において、
前記基準ラインの前後するラインの間の垂直方向の色信号成分を検出する垂直色相関検出部をさらに備え、
色信号のライン間の相関が高い場合、前記帯域制限フィルタの通過帯域を狭くしない、
ことを特徴とする輝度信号／色信号分離装置。
【請求項１３】
請求項１２記載の輝度信号／色信号分離装置において、
前記垂直色相関検出部は、
前記基準ライン、およびその前のラインおよび後のラインのコンポジット映像信号を各々前記帯域制限フィルタにより色信号成分を含む帯域に制限された映像信号を入力し、
該帯域制限された基準ラインの前、後の映像信号を反転する第３，第４の反転部と、
前記基準ラインの帯域制限された映像信号とその前，後のラインの帯域制限後に反転された映像信号とにおける互いに垂直方向にずれた信号成分同士の差の大きさである隣接ライン間垂直差分を検出する隣接ライン間垂直差分検出部と、
該隣接ライン間垂直差分検出部により検出された隣接ライン間垂直差分を第３の判定用のレベルと比較することで垂直色相関の有無を判定する隣接ライン間垂直相関判定部とを有するものである、
ことを特徴とする輝度信号／色信号分離装置。
【請求項１４】
請求項１３記載の輝度信号／色信号分離装置において、
前記隣接ライン間垂直差分検出部は、
前記基準ラインの信号と前記第３，第４の反転部の出力信号との差分を得る第４，第５の差分部と、
該第４，第５の差分部の出力信号の絶対値をとる第４，第５の絶対値部とを有するものであり、
前記隣接ライン間垂直相関判定部は、前記第４，第５の絶対値部の出力信号と第３の判定用のレベルとの比較を行う第４，第５の比較部と、
該第４，第５の比較部による第４，第５の比較結果の論理和をとり前記帯域制限された映像信号に含まれる色信号の垂直相関を検出する第３の論理部とを有するものである、
ことを特徴とする輝度信号／色信号分離装置。
【請求項１５】
請求項１１記載の輝度信号／色信号分離装置において、
前記垂直輝度相関検出部の検出結果の負論理と前記垂直色相関検出部の検出結果の負論理と前記輝度斜め成分検出部の検出結果の正論理との論理積をとり、該論理積信号を前記第２の論理部の出力信号に代えて前記通過帯域切換部に対し切換制御信号として出力する第４の論理部を、前記第２の論理部に代えて設けた、
ことを特徴とする輝度信号／色信号分離装置。
【請求項１６】
請求項２記載の輝度信号／色信号分離装置において、
前記帯域制限フィルタを、前記色分離部の入力側に代えて出力側に設けた、
ことを特徴とする輝度信号／色信号分離装置。
【請求項１７】
請求項２記載の輝度信号／色信号分離装置において、
前記狭帯域通過フィルタを前記色分離部の入力側に代えて出力側に設けることにより、
前記帯域通過フィルタを前記色分離部の入力側および出力側にまたがるように設けるとともに、
前記通過帯域切換部は、輝度信号の斜め成分が多い場合は前記狭帯域通過フィルタを通過した前記色分離部の出力を選択し、斜め成分が少ない場合は前記色分離部の出力を選択することで、前記帯域制限フィルタの帯域通過特性を切り換える、
ことを特徴とする輝度信号／色信号分離装置。
【請求項１８】
入力されたコンポジット映像信号から輝度信号の斜め成分を検出し、
該輝度斜め成分の検出結果に応じて前記色信号の分離を行う，３ライン色分離回路からなる色信号分離部の入力側の帯域制限フィルタの通過帯域を、輝度斜め成分が多い旨の場合に通過帯域を狭め少ない旨の場合に通過帯域を広げるように切換え、
該通過帯域が切り換えられたコンポジット映像信号から色信号を分離し、
前記コンポジット映像信号から前記分離された色信号を差し引くことで輝度信号を分離する、
ことを特徴とする輝度信号／色信号分離方法。
【請求項１９】
入力されたコンポジット映像信号から輝度信号の斜め成分および垂直成分を検出し、
該輝度斜め成分及び輝度垂直成分の検出結果に応じて前記色信号の分離を行う，３ライン色分離回路からなる色信号分離部の入力側の帯域制限フィルタの通過帯域を、輝度斜め成分が多い旨の場合に通過帯域を狭め少ない旨の場合に通過帯域を広げ、ライン間の相関が高い場合は通過帯域を狭くしないように切換え、
該通過帯域が切り換えられたコンポジット映像信号から色信号を分離し、
前記コンポジット映像信号から前記分離された色信号を差し引くことで輝度信号を分離する、
ことを特徴とする輝度信号／色信号分離方法。
【請求項２０】
入力されたコンポジット映像信号から輝度信号の斜め成分，垂直成分および垂直方向の色成分を検出し、
該輝度斜め成分，輝度垂直成分および垂直方向の色成分の検出結果に応じて前記色信号の分離を行う，３ライン色分離回路からなる色信号分離部の入力側の帯域制限フィルタの通過帯域を、輝度斜め成分が多い旨の場合に通過帯域を狭め少ない旨の場合に通過帯域を広げ、ライン間の相関が高い場合または色信号のライン間の相関が高い場合は通過帯域を狭くしないように切換え、
該通過帯域が切り換えられたコンポジット映像信号から色信号を分離し、
前記コンポジット映像信号から前記分離された色信号を差し引くことで輝度信号を分離する、
ことを特徴とする輝度信号／色信号分離方法。
【請求項２１】
入力されたコンポジット映像信号から輝度信号の斜め成分，垂直成分および垂直方向の色成分を検出し、
該輝度斜め成分，輝度垂直成分および垂直方向の色成分の検出結果に応じて前記色信号の分離を行う，３ライン色分離回路からなる色信号分離部の出力側の帯域制限フィルタの通過帯域を、輝度斜め成分が多い旨の場合に通過帯域を狭め少ない旨の場合に通過帯域を広げ、ライン間の相関が高い場合または色信号のライン間の相関が高い場合は通過帯域を狭くしないように切換え、
前記コンポジット映像信号から前記通過帯域が切り換えられた色信号を分離し、
前記コンポジット映像信号から前記分離された色信号を差し引くことで輝度信号を分離する、
ことを特徴とする輝度信号／色信号分離方法。
【発明の詳細な説明】
【０００１】
【発明の属する技術分野】
本発明は、コンポジット映像信号から輝度信号と色信号とを分離するのに用いる輝度信号／色信号分離装置および輝度信号／色信号分離方法に関する。
【０００２】
【従来の技術】
近年、テレビジョン受像機の大型化、高画質化に伴ない、コンポジット映像信号から輝度信号と色信号とを分離する輝度信号／色信号分離装置の高性能化が重要視されてきている。
【０００３】
以下、従来の輝度信号／色信号分離装置について説明する。
図１３は従来の輝度信号／色信号分離装置におけるブロック図を示すものである。
図１３において、６０１，６０２は１ライン分の映像信号を記憶可能な容量を有するラインメモリ、６０３，６０４，６０５は所定の帯域成分を通過させるフィルタ、６０６，６０７は入力信号を反転する反転回路、６０８，６０９，６１０，６１５，６１８，６１９，６２０は２つの入力信号のうちの最小値を出力する最小値回路、６１１，６１２，６１３，６１４，６２１は２つの入力信号のうちの最大値を出力する最大値回路、６１６は２つの入力信号を加算する加算回路、６１７は入力信号の２分の１の値を出力する２分の１回路、６２３は以上の６０６ないし６２１の各構成要素からなる３ライン色分離回路であり、６２２はラインメモリ６０１の出力信号から３ライン色分離回路６２３の出力信号を減算する減算器である。
【０００４】
ラインメモリ６０１，６０２は互いに直列に接続され、輝度信号／色信号を分離すべきコンポジット映像信号Ｓ６０１はラインメモリ６０１に入力される。フィルタ６０３にはコンポジット映像信号Ｓ６０１が、フィルタ６０４にはラインメモリ６０１の出力信号Ｓ６０２が、フィルタ６０５にはラインメモリ６０２の出力信号Ｓ６０３がそれぞれ入力される。
【０００５】
３ライン色分離回路６２３において、反転回路６０６，６０７にはフィルタ６０３，６０５の出力Ｓ６０４，Ｓ６０６が入力され、最小値回路６０８および最大値回路６１２にはともに反転回路６０６の出力信号Ｓ６０７およびフィルタ６０４の出力信号Ｓ６０５が入力され、最小値回路６０９および最大値回路６１３にはともに反転回路６０７の出力信号Ｓ６０８およびフィルタ６０４の出力信号Ｓ６０５が入力される。
【０００６】
最小値回路６１０および最大値回路６１１にはともに最小値回路６０８，６０９の出力信号Ｓ６０９，Ｓ６１０が入力され、最大値回路６１４および最小値回路６１５にはともに最大値回路６１２，６１３の出力信号Ｓ６１３，Ｓ６１４が入力される。
加算器６１６には最小値回路６１０の出力信号Ｓ６１１および最大値回路６１４の出力信号Ｓ６１５が入力される。
【０００７】
２分の１回路６１７には加算器６１６の出力信号Ｓ６１７が入力され、最小値回路６１８には最大値回路６１１の出力信号Ｓ６１２および２分の１回路６１７の出力信号Ｓ６１８が入力され、最小値回路６１９には最小値回路６１５の出力信号Ｓ６１６および２分の１回路６１７の出力信号Ｓ６１８が入力され、最小値回路６２０には最大値回路６１１の出力信号Ｓ６１２および最小値回路６１５の出力信号Ｓ６１６が入力され、最大値回路６２１には最小値回路６１８，６１９，６２０の出力信号Ｓ６１９，Ｓ６２０，Ｓ６２１が入力されている。
また、減算器６２２にはラインメモリ６０１の出力信号Ｓ６０２および３ライン色分離回路６２３の最大値回路６２１の出力信号Ｓ６２２が入力されている。
【０００８】
以上のように構成された輝度信号／色信号分離装置において、以下にその動作について説明する。
ＮＴＳＣ信号がＡ／Ｄ変換されて入力されたコンポジット映像信号Ｓ６０１は、ラインメモリ６０１，６０２に入力され、ラインメモリ６０１により１ライン遅延されたコンポジット映像信号Ｓ６０２が、ラインメモリ６０２によりさらに１ライン遅延されたコンポジット映像信号Ｓ６０３がそれぞれ得られる。そして、これらコンポジット映像信号Ｓ６０１，Ｓ６０２，Ｓ６０３は各々フィルタ６０３，６０４，６０５に入力され、これらフィルタ６０３，６０４，６０５により帯域制限されたコンポジット映像信号Ｓ６０４，Ｓ６０５，Ｓ６０６がそれぞれ得られる。
【０００９】
色信号の位相はライン毎に１８０度反転しているため、コンポジット映像信号Ｓ６０５をセンターラインとしてその前，後のラインのコンポジット映像信号Ｓ６０４，Ｓ６０６の位相を反転回路６０６，６０７により反転させ、信号Ｓ６０７，Ｓ６０８とすることにより、３ライン間の色の位相を合わせた後、色分離回路６２３中の最小値回路６０８，６０９，６１０，６１５，６１８，６１９，６２０、最大値回路６１１，６１２，６１３，６１４，６２１、加算器６１６、２分の１回路６１７からなる部分により、３ライン間の垂直方向の相関を利用してその３つの入力信号Ｓ６０７，Ｓ６０５，Ｓ６０８の中の最大値と最小値の中間の値を検出し、これを色信号とみなして出力信号Ｓ６２２を得ており、コンポジット映像信号Ｓ６０１，Ｓ６０２，Ｓ６０３に含まれる色成分に相関があれば、正しく色信号を分離できる。そして、減算器６２２によりコンポジット映像信号Ｓ６０２から色信号Ｓ６２２を減算することで輝度信号Ｓ６２３を得ている。
【００１０】
【特許文献１】
米国特許第５２９０４０号明細書
【００１１】
【発明が解決しようとする課題】
上記従来の輝度信号／色信号分離装置は以上のように構成されており、垂直方向にライン相関がある場合は輝度信号と色信号とを正しく分離することができるが、斜め縞として映る輝度信号が入力されていたような場合は垂直方向のライン相関が低くなる。
【００１２】
図１４は、従来の輝度信号／色信号分離装置において斜め縞が入力された場合の各点におけるタイミングチャート図である。
図１４において、Ｓ６０１は入力されたコンポジット映像信号、Ｓ６０２は１ライン遅延されたコンポジット映像信号、Ｓ６０３は２ライン遅延されたコンポジット映像信号であり、３．５８ＭＨｚ付近の周波数成分を有する輝度信号の斜め縞が入力された場合を示している。Ｓ６０４，Ｓ６０５，Ｓ６０６は帯域制限された映像信号を示し、フィルタを通過することにより、低域周波数成分が取り除かれ、３．５８ＭＨｚ付近の周波数帯域の信号のみが通過した状態を示す。
【００１３】
Ｓ６０７，Ｓ６０８は位相を合わせるためにセンターラインの信号Ｓ６０５の上下のラインの信号Ｓ６０４，Ｓ６０６を反転した映像信号を示し、Ｓ６０９〜Ｓ６２１は３ライン色分離回路６２３内の最大値回路、最小値回路を通過することによる途中処理結果を、Ｓ６２２は最大値、最小値を選択することにより検出した色信号の出力結果をそれぞれ示す。
【００１４】
このように、斜め縞が入力された場合は、本来の色信号が出力されていないにもかかわらず、３ライン色分離回路６２３の色信号Ｓ６２２出力端子から信号成分が出力される。即ち、入力された輝度信号成分が出力の色信号成分に漏れ込み、斜め縞の部分にクロスカラーが発生している。また、輝度信号Ｓ６２３はコンポジット映像信号Ｓ６０２から色信号Ｓ６２２を減算して得ているため、輝度信号成分が色信号成分へ漏れこんでいることにより、解像度の劣化が生じていた。
【００１５】
本発明は、上記のような従来のものの問題点を解決するためになされたもので、斜め方向に相関のある輝度信号が入力された際に輝度信号成分が色信号成分に漏れ込むことによるクロスカラーの低減及び斜め方向の解像度を改善できる輝度信号／色信号分離装置および輝度信号／色信号分離方法を提供することを目的とする。
【００１６】
【課題を解決するための手段】
この目的を達成するために、本発明の請求項１記載の輝度信号／色信号分離装置では、３ライン色分離回路からなり、入力されたコンポジット映像信号から色信号を分離する色分離部と、該色分離部の出力信号の帯域を狭めるための、通過帯域が切換え可能な帯域通過フィルタと、前記コンポジット映像信号から前記色分離部により分離された色信号を差し引くことで輝度信号を分離する輝度分離部と、前記コンポジット映像信号から輝度信号の斜め成分を検出する輝度斜め成分検出部と、該輝度斜め成分検出部の検出結果が輝度斜め成分が多い旨の場合に通過帯域を狭め少ない旨の場合に通過帯域を広げるように前記帯域制限フィルタの通過帯域を切換える通過帯域切換部とを備え、輝度斜め成分検出部の検出結果に応じて色分離部の入力段の帯域制限フィルタを切換える。
【００１７】
また、本発明の請求項２記載の輝度信号／色信号分離装置では、請求項１記載の輝度信号／色信号分離装置において、前記帯域制限フィルタは、通過帯域の広い広帯域通過フィルタと通過帯域の狭い狭帯域通過フィルタとを具備し、該帯域通過フィルタを前記色分離部の入力側に設けるとともに、前記通過帯域切換部は、輝度信号の斜め成分が多い場合は狭帯域通過フィルタに、輝度信号の斜め成分が少ない場合は広帯域通過フィルタに切換える。
【００１８】
本発明の請求項３記載の輝度信号／色信号分離装置では、請求項２記載の輝度信号／色信号分離装置において、前記帯域制限フィルタは、通過帯域の広い広帯域通過フィルタと通過帯域の狭い狭帯域通過フィルタとをこの順に直列接続してなり、前記通過帯域切換部は、前記広帯域通過フィルタの出力信号あるいは前記狭帯域通過フィルタの出力信号のいずれか一方を選択することで、前記帯域制限フィルタの帯域通過特性を切り換える。
【００１９】
本発明の請求項４記載の輝度信号／色信号分離装置では、請求項１記載の輝度信号／色信号分離装置において、前記色分離部は、色分離を行う際の基準となる基準ラインのコンポジット映像信号の前，後のラインのコンポジット映像信号を反転する第１，第２の反転部と、前記第１，第２の反転部の出力信号と前記基準ラインのコンポジット映像信号とにおける最大値と最小値の中間の値を検出し、該中間の値を色信号として出力する中間値検出部とを備えるようにしたものである。
【００２０】
本発明の請求項５記載の輝度信号／色信号分離装置では、請求項４記載の輝度信号／色信号分離装置において、前記中間値検出部は、前記第１の反転部の出力信号と前記基準ラインのコンポジット映像信号との最小値，最大値を検出する第１の最小値部，最大値部と、前記第２の反転部の出力信号と前記基準ラインのコンポジット映像信号との最小値，最大値を検出する第２の最小値部，最大値部と、前記第１の最小値部の出力信号と前記第２の最小値部の出力信号との最小値，最大値を検出する第３の最小値部，最大値部と、前記第１の最大値部の出力信号と前記第２の最大値部の出力信号との最小値，最大値を検出する第４の最小値部，最大値部と、前記第３の最小値部の出力信号と前記第４の最大値部の出力信号とを加算する第１の加算部と、該第１の加算部の出力信号を２分の１にする２分の１部と、前記第３の最大値部の出力信号と前記２分の１部の出力信号との最小値を検出する第５の最小値部と、前記第４の最小値部の出力信号と前記２分の１部の出力信号との最小値を検出する第６の最小値部と、前記第３の最大値部の出力信号と前記第４の最小値部の出力信号との最小値を検出する第７の最小値部と、前記第５，第６，第７の最小値部の出力信号の最大値を検出することで色信号を分離する第５の最大値部とを備えるようにしたものである。
【００２１】
本発明の請求項６記載の輝度信号／色信号分離装置では、請求項１記載の輝度信号／色信号分離装置において、前記輝度斜め成分検出部は、色分離を行う際の基準となる基準ラインの前，後のラインのコンポジット映像信号における互いに斜め方向にずれた信号成分同士の差の大きさである斜め差分を検出する斜め差分検出部と、該斜め差分検出部により検出された斜め差分を第１の判定用のレベルと比較することで輝度斜め成分の有無を判定する斜め成分判定部とを備えるようにしたものである。
【００２２】
本発明の請求項７記載の輝度信号／色信号分離装置では、請求項６記載の輝度信号／色信号分離装置において、前記斜め差分検出部は、前記基準ラインのコンポジット映像信号とその前，後のラインのコンポジット映像信号とを加算する第２，第３の加算部と、該第２，第３の加算部が出力するデータを遅延させる第１，第２の遅延部と、前記第２，第３の加算部の出力と前記第２，第１の遅延部の出力とのデータの差分をとる第１，第２の差分部と、該第１，第２の差分部により得られた差分値の絶対値をとる第１，第２の絶対値部とを有するものであり、前記斜め成分判定部は、前記第１，第２の絶対値部により得られた第１，第２の絶対値レベルと第１の判定用のレベルとを比較する第１，第２の比較部と、該第１，第２の比較部による第１，第２の比較結果の論理和をとり前記コンポジット映像信号に含まれる輝度信号の斜め成分を検出する第１の論理部とを有するようにしたものである。
【００２３】
本発明の請求項８記載の輝度信号／色信号分離装置では、請求項１記載の輝度信号／色信号分離装置において、前記入力されたコンポジット映像信号に対し、前記色分離部が色分離を行う際の基準となる基準ラインの前後するラインの間の垂直方向の輝度信号成分を検出する垂直輝度相関検出部をさらに備え、該垂直輝度相関検出部が、ライン間の輝度信号の相関が高いと判定した場合、前記帯域制限フィルタの通過帯域を狭くしないようにしたものである。
【００２４】
本発明の請求項９記載の輝度信号／色信号分離装置では、請求項８記載の輝度信号／色信号分離装置において、前記垂直輝度相関検出部は、前記基準ラインの前後するラインのコンポジット映像信号における互いに垂直方向にずれた信号成分同士の差の大きさである垂直差分を検出する垂直差分検出部と、該垂直差分検出部により検出された垂直差分を第２の判定用のレベルと比較することで輝度垂直相関の有無を判定する垂直相関判定部とを有するものとしたものである。
【００２５】
本発明の請求項１０記載の輝度信号／色信号分離装置では、請求項９記載の輝度信号／色信号分離装置において、前記垂直差分検出部は、前記基準ライン、およびその前，後のラインのコンポジット映像信号をそれぞれ加算した第１，第２の映像信号の差をとる第３の差分部と、該第３の差分部の出力信号の絶対値をとる第３の絶対値部とを有するものであり、前記垂直相関判定部は、前記第３の絶対値部の出力信号と第２の判定用のレベルとを比較することで前記コンポジット映像信号に含まれる輝度信号の垂直方向の相関を検出する第３の比較部を有するようにしたものである。
【００２６】
本発明の請求項１１記載の輝度信号／色信号分離装置では、請求項８記載の輝度信号／色信号分離装置において、前記垂直輝度相関検出部の検出結果の負論理と前記輝度斜め成分検出部の検出結果の正論理との論理積をとり、該論理積信号を前記輝度斜め成分検出部の検出結果に代えて前記通過帯域切換部に対し切換制御信号として出力する第２の論理部をさらに備えるようにしたものである。
【００２７】
本発明の請求項１２記載の輝度信号／色信号分離装置では、請求項８記載の輝度信号／色信号分離装置において、前記基準ラインの前後するラインの間の垂直方向の色信号成分を検出する垂直色相関検出部をさらに備え、色信号のライン間の相関が高い場合、前記帯域制限フィルタの通過帯域を狭くしないようにしたものである。
【００２８】
本発明の請求項１３記載の輝度信号／色信号分離装置では、請求項１２記載の輝度信号／色信号分離装置において、前記垂直色相関検出部は、前記基準ライン、およびその前のラインおよび後のラインのコンポジット映像信号を各々前記帯域制限フィルタにより色信号成分を含む帯域に制限された映像信号を入力し、該帯域制限された基準ラインの前、後の映像信号を反転する第３，第４の反転部と、前記基準ラインの帯域制限された映像信号とその前，後のラインの帯域制限後に反転された映像信号とにおける互いに垂直方向にずれた信号成分同士の差の大きさである隣接ライン間垂直差分を検出する隣接ライン間垂直差分検出部と、該隣接ライン間垂直差分検出部により検出された隣接ライン間垂直差分を第３の判定用のレベルと比較することで垂直色相関の有無を判定する隣接ライン間垂直相関判定部とを有するようにしたものである。
【００２９】
本発明の請求項１４記載の輝度信号／色信号分離装置では、請求項１３記載の輝度信号／色信号分離装置において、前記隣接ライン間垂直差分検出部は、前記基準ラインの信号と前記第３，第４の反転部の出力信号との差分を得る第４，第５の差分部と、該第４，第５の差分部の出力信号の絶対値をとる第４，第５の絶対値部とを有するものであり、前記隣接ライン間垂直相関判定部は、前記第４，第５の絶対値部の出力信号と第３の判定用のレベルとの比較を行う第４，第５の比較部と、該第４，第５の比較部による第４，第５の比較結果の論理和をとり前記帯域制限された映像信号に含まれる色信号の垂直相関を検出する第３の論理部とを備えるようにしたものである。
【００３０】
本発明の請求項１５記載の輝度信号／色信号分離装置では、請求項１１記載の輝度信号／色信号分離装置において、前記垂直輝度相関検出部の検出結果の負論理と前記垂直色相関検出部の検出結果の負論理と前記輝度斜め成分検出部の検出結果の正論理との論理積をとり、該論理積信号を前記第２の論理部の出力信号に代えて前記通過帯域切換部に対し切換制御信号として出力する第４の論理部を、前記第２の論理部に代えて設けるようにしたものである。
【００３１】
本発明の請求項１６記載の輝度信号／色信号分離装置では、請求項２記載の輝度信号／色信号分離装置において、前記帯域制限フィルタを、前記色分離部の入力側に代えて出力側に設けるようにしたものである。
【００３２】
本発明の請求項１７記載の輝度信号／色信号分離装置では、請求項２記載の輝度信号／色信号分離装置において、前記狭帯域通過フィルタを前記色分離部の入力側に代えて出力側に設けることにより、前記帯域通過フィルタを前記色分離部の入力側および出力側にまたがるように設けるとともに、前記通過帯域切換部は、輝度信号の斜め成分が多い場合は前記狭帯域通過フィルタを通過した前記色分離部の出力を選択し、斜め成分が少ない場合は前記色分離部の出力を選択することで、前記帯域制限フィルタの帯域通過特性を切り換えるようにしたものである。
【００３３】
本発明の請求項１８記載の輝度信号／色信号分離方法では、入力されたコンポジット映像信号から輝度信号の斜め成分を検出し、該輝度斜め成分の検出結果に応じて前記色信号の分離を行う，３ライン色分離回路からなる色信号分離部の入力側の帯域制限フィルタの通過帯域を、輝度斜め成分が多い旨の場合に通過帯域を狭め少ない旨の場合に通過帯域を広げるように切換え、該通過帯域が切り換えられたコンポジット映像信号から色信号を分離し、前記コンポジット映像信号から前記分離された色信号を差し引くことで輝度信号を分離するようにしたものである。
【００３４】
本発明の請求項１９記載の輝度信号／色信号分離方法では、入力されたコンポジット映像信号から輝度信号の斜め成分および垂直成分を検出し、該輝度斜め成分及び輝度垂直成分の検出結果に応じて前記色信号の分離を行う，３ライン色分離回路からなる色信号分離部の入力側の帯域制限フィルタの通過帯域を、輝度斜め成分が多い旨の場合に通過帯域を狭め少ない旨の場合に通過帯域を広げ、ライン間の相関が高い場合は通過帯域を狭くしないように切換え、該通過帯域が切り換えられたコンポジット映像信号から色信号を分離し、前記コンポジット映像信号から前記分離された色信号を差し引くことで輝度信号を分離するようにしたものである。
【００３５】
本発明の請求項２０記載の輝度信号／色信号分離方法では、入力されたコンポジット映像信号から輝度信号の斜め成分，垂直成分および垂直方向の色成分を検出し、該輝度斜め成分，輝度垂直成分および垂直方向の色成分の検出結果に応じて前記色信号の分離を行う，３ライン色分離回路からなる色信号分離部の入力側の帯域制限フィルタの通過帯域を、輝度斜め成分が多い旨の場合に通過帯域を狭め少ない旨の場合に通過帯域を広げ、ライン間の相関が高い場合または色信号のライン間の相関が高い場合は通過帯域を狭くしないように切換え、該通過帯域が切り換えられたコンポジット映像信号から色信号を分離し、前記コンポジット映像信号から前記分離された色信号を差し引くことで輝度信号を分離するようにしたものである。
【００３６】
本発明の請求項２１記載の輝度信号／色信号分離方法では、入力されたコンポジット映像信号から輝度信号の斜め成分，垂直成分および垂直方向の色成分を検出し、該輝度斜め成分，輝度垂直成分および垂直方向の色成分の検出結果に応じて前記色信号の分離を行う，３ライン色分離回路からなる色信号分離部の出力側の帯域制限フィルタの通過帯域を、輝度斜め成分が多い旨の場合に通過帯域を狭め少ない旨の場合に通過帯域を広げ、ライン間の相関が高い場合または色信号のライン間の相関が高い場合は通過帯域を狭くしないように切換え、前記コンポジット映像信号から前記通過帯域が切り換えられた色信号を分離し、前記コンポジット映像信号から前記分離された色信号を差し引くことで輝度信号を分離するようにしたものである。
【００３７】
【発明の実施の形態】
実施の形態１．
この実施の形態１は、請求項１ないし７および１８に対応するもので、輝度信号の斜め成分の有無を検出し、斜め成分が含まれる場合は、もはや色信号ではないので、バンドパスフィルタの通過帯域幅を狭くすることにより、色信号の出力振幅を小さくし、コンポジット映像信号より色信号の出力信号を減算して得られる輝度信号に振幅差（コントラスト）がつき、めりはりのある映像が得られるようにしたものである。
【００３８】
以下、本発明の実施の形態１について、図面を参照しながら説明する。
図１は本実施の形態１における輝度信号／色信号分離装置の構成を示すブロック図である。
図１において、１０１，１０２は信号を１水平期間遅延させるラインメモリ、１０３，１０４，１０５は所定の帯域成分を通過させるバンドパスフィルタ１（広帯域通過フィルタ）、１２３は入力されたコンポジット映像信号から色信号を分離する３ライン色分離回路（色分離部）であり、この３ライン色分離回路１２３において、１０６，１０７は入力信号を反転する反転回路（第１，第２の反転部）、１０８，１０９，１１０，１１５，１１８，１１９，１２０は２つの入力信号のうちの最小値を出力する最小値回路（第１，第２，第３，第４，第５，第６，第７の最小値部）、１１１，１１２，１１３，１１４，１２１は２つの入力信号のうちの最大値を出力する最大値回路（第３，第１，第２，第４，第５，の最大値部）、１１６は２つの入力信号を加算する加算器（第１の加算部）、１１７は入力信号の２分の１の値を出力する２分の１回路（２分の１部）である。また、１２２はラインメモリ１０１の出力信号から３ライン色分離回路１２３の出力信号を減算することで輝度信号を分離する減算器（輝度分離部）である。これらは、従来例における６００番台の符号が付されたものと同様のものであり、バンドパスフィルタ１０３，１０４，１０５の出力信号が直接３ライン色分離回路１２３に入力されない以外は、従来のものと同様の接続関係により構成されている。また、３ライン色分離回路１２３中の反転回路１０６，１０７を除く部分は第１，第２の反転部の出力信号と基準ラインのコンポジット映像信号とにおける最大値と最小値の中間の値を検出し、この中間の値を色信号として出力する中間値検出部１２３ａとなっている。
【００３９】
１２４，１２５，１２６はバンドパスフィルタ２（狭帯域通過フィルタ）であり、バンドパスフィルタ１０３，１０４，１０５の出力信号Ｓ１０４，Ｓ１０５，Ｓ１０６が入力されている。１２７，１２８，１２９は切換回路（通過帯域切換部）であり、切換回路１２７はバンドパスフィルタ１０３および１２４の出力信号を，切換回路１２８はバンドパスフィルタ１０４および１２５の出力信号を，切換回路１２９はバンドパスフィルタ１０５および１２６の出力信号をそれぞれ切り替える。これらバンドパスフィルタ１２４，１２５，１２６および切換回路１２７，１２８，１２９はバンドパスフィルタ１０３，１０４，１０５および３ライン色分離回路１２３の間に設けられている。
【００４０】
また、１３０，１３１は加算回路（第２，第３の加算部）、１３２，１３３は単位時間遅延回路（第１，第２の遅延部）、１３４，１３５は減算器（第１，第２の差分部）、１３６，１３７は絶対値回路（第１，第２の絶対値部）、１３８，１３９は比較回路（第１，第２の比較部）、１４０は論理回路（第１の論理部）、１４１はこれら構成要素１３０ないし１４０により構成され、コンポジット映像信号から輝度信号の斜め成分を検出する輝度斜め相関検出回路（輝度斜め成分検出部）である。
【００４１】
この輝度斜め相関検出回路１４１において、加算回路１３０はＢＰＦ１０３の出力信号Ｓ１０４とＢＰＦ１０４の出力信号Ｓ１０５とを加算し、加算回路１３１はＢＰＦ１０４の出力信号Ｓ１０５とＢＰＦ１０５の出力信号Ｓ１０６とを加算する。遅延回路１３２および１３３は加算回路１３０の出力信号Ｓ１３０および加算回路１３１の出力信号Ｓ１３１をそれぞれ所定の遅延時間分遅延する。減算器１３４は加算器１３０の出力信号Ｓ１３０から遅延回路１３３の出力信号Ｓ１３３を減算し、減算器１３５は加算器１３１の出力信号Ｓ１３１から遅延回路１３２の出力信号Ｓ１３２を減算する。絶対値回路１３６および１３７は減算器１３４の出力信号Ｓ１３４および減算器１３５の出力信号Ｓ１３５の絶対値をとった出力信号Ｓ１３６およびＳ１３７をそれぞれ出力する。１４１ａはこれらの構成要素１３０ないし１３７からなる斜め差分検出部であり、色分離を行う際の基準となる基準ラインの前，後のラインのコンポジット映像信号における互いに斜め方向にずれた信号成分同士の差の大きさである斜め差分を検出する。
【００４２】
比較器１３８は絶対値回路１３６の出力信号Ｓ１３６と設定値信号Ｓ１４１とを比較し、比較器１３９は絶対値回路１３７の出力信号Ｓ１３７と判定レベル（第１の判定用のレベル）Ｓ１４１とを比較し、論理回路１４０は比較器１３８の出力信号Ｓ１３８と比較器１３９の出力信号Ｓ１３９との論理和信号Ｓ１４０を切換器１２７ないし１２９の切換信号として出力する。１４１ｂはこれらの構成要素１３８ないし１４０からなる斜め相関判定部であり、斜め差分検出部１４１ａにより検出された斜め差分を第２の判定用のレベルと比較することで輝度斜め相関の有無を判定する。
【００４３】
図１２はバンドパスフィルタの周波数特性例を示しており、図１２(a)は３．５８MHｚの周波数をセンターとした広帯域な帯域制限フィルタの周波数特性を、図１２(b)は３．５８MHｚの周波数をセンターとした狭帯域な帯域制限フィルタの周波数特性を示している。図１２(a)のバンドパスフィルタの伝達関数の一例としては、例えば、−（１−ｚ-2）2／４が挙げられる。図１２(b)のバンドパスフィルタの伝達関数の一例としては、例えば（１＋ｚ-4）2／４が挙げられる。これら２種類のフィルタに信号を通過させることにより、図１２(c)に示すように、３．５８MHｚを中心として帯域幅の狭いフィルタを構成することができる。
【００４４】
以上のように構成された輝度信号／色信号分離装置において、以下にその動作について説明する。
入力されたコンポジット映像信号Ｓ１０１は、ラインメモリ１０１，１０２により、１ライン遅延されたコンポジット映像信号Ｓ１０２と、これよりさらに１ライン遅延されたコンポジット映像信号Ｓ１０３が得られる。これら３ライン間のコンポジット映像信号Ｓ１０１，Ｓ１０２，Ｓ１０３は各々図１２(a)に示すような３．５８ＭＨｚをセンターとした通過周波数帯域１のバンドパスフィルタ１０３，１０４，１０５により帯域制限された映像信号Ｓ１０４，Ｓ１０５，Ｓ１０６が得られる。色信号の位相はライン毎に１８０度反転するため、帯域制限された映像信号の中心ライン（色分離を行う際の基準となる基準ライン）をＳ１０５とすると、この中心ラインの信号とこれより１ライン前，後するラインの帯域制限をされた映像信号Ｓ１０４，Ｓ１０６とを加算器１３０，１３１により加算することで、上，下の輝度成分信号Ｓ１３０，Ｓ１３１を得る。この輝度信号成分Ｓ１３０，Ｓ１３１は遅延回路１３２，１３３により斜め方向に演算できるように１単位時間分、信号を遅延させる。輝度成分信号Ｓ１３０と遅延された輝度成分信号Ｓ１３３とを減算器１３４により減算し差分信号Ｓ１３４を得ることにより斜め成分の量を検出して、絶対値回路１３６により絶対値差分信号Ｓ１３６をとる。斜め方向に輝度信号成分が揃っている場合には絶対値差分信号Ｓ１３６は小さくなるため、比較回路１３８で判定レベルＳ１４１と比較することにより、輝度成分が斜め方向にあることを検出し、斜め輝度成分判定信号Ｓ１３８を得る。同様に輝度成分信号Ｓ１３１と遅延された輝度成分信号Ｓ１３２を減算器１３５により減算し差分信号Ｓ１３５を得て、絶対値回路１３７により絶対値差分信号Ｓ１３７をとる。斜め方向に輝度信号成分が揃っている場合には絶対値差分信号Ｓ１３７は小さくなるため、比較回路１３９で判定レベルＳ１４１と比較することにより、輝度成分が斜め方向にあることを検出し、斜め輝度成分判定信号Ｓ１３９を得る。論理回路１４０はＯＲ回路であり、斜め成分判定信号Ｓ１３８，Ｓ１３９のどちらか一方でも斜め成分があると判定した場合に切換信号Ｓ１４０が出力される。
【００４５】
狭帯域制限された映像信号Ｓ１０４，Ｓ１０５，Ｓ１０６は、各々３．５８ＭＨｚをセンター周波数とし、前段の通過周波数帯域１よりも通過周波数範囲が狭い図１２(b)に示す特性のような通過周波数帯域２のバンドパスフィルタ１２４，１２５，１２６により帯域制限された映像信号Ｓ１２４，Ｓ１２５，Ｓ１２６が得られる。このため、これら通過周波数帯域１のバンドパスフィルタ１０３，１０４，１０５と通過周波数帯域２のバンドパスフィルタ１２４，１２５，１２６とを通過することで、３．５８ＭＨｚを中心として帯域幅の狭いフィルタを構成することができる。即ち、これら２種類のバンドパスフィルタを通過することにより、低域周波数成分が除かれ、これら２種類のバンドパスフィルタを合わせた帯域幅が狭いため、３．５８ＭＨｚ付近から少し離れた周波数の信号は従来例よりも減衰する。従って、切換信号Ｓ１４０により、輝度成分が斜め方向にあると検出した時は狭帯域制限された映像信号Ｓ１２４，Ｓ１２５，Ｓ１２６を、輝度成分が斜め方向に無いと検出した時は帯域制限された映像信号Ｓ１０４，Ｓ１０５，Ｓ１０６を、各々入力信号Ｓ１２７，Ｓ１２８，Ｓ１２９として３ライン色分離回路１２３に入力する。３ライン色分離回路１２３では、センターラインの前後するラインの信号を、反転回路１０６，１０７により位相を反転させることにより、３ライン間の色の位相を合わせた後、最小値回路１０８，１０９，１１０，１１５，１１８，１１９，１２０、最大値回路１１１，１１２，１１３，１１４，１２１、加算器１１６、2分の１回路１１７により３ライン間の垂直方向の相関を利用して色信号Ｓ１２２を得ており、この色信号は従来例よりも出力振幅が小さくなる。そしてコンポジット映像信号Ｓ１０２から色信号Ｓ１２２を減算器１２２により減算することにより輝度信号Ｓ１２３を得る。
【００４６】
図２は、コンポジット信号として斜め線の画像が入力される場合の信号の例を示す。
図２におけるコンポジット映像信号Ｓ１０１，Ｓ１０２，Ｓ１０３は斜め線が入力されている場合を示している。また、図２におけるコンポジット映像信号Ｓ１２７，Ｓ１２８，Ｓ１２９は、２種類のバンドパスフィルタ１０３，１０４，１０５および１２４，１２５，１２６を通過することにより低域周波数成分が除かれる。即ち、これら２種類のバンドパスフィルタの帯域を総合した帯域幅がバンドパスフィルタ１０３，１０４，１０５単独の場合よりも狭くなるため、３．５８ＭＨｚ付近から少し離れた周波数の信号は従来例のものよりも減衰する。図２における信号Ｓ１０７，Ｓ１０８は反転回路１０６，１０７により、切換器１２８の出力信号Ｓ１２８と位相が合った状態を示している。図２における信号Ｓ１０９ないしＳ１２１は３ライン色相関回路１２３内での途中処理結果を示している。Ｓ１２２は色信号出力であり、従来例よりも出力振幅が小さくなっており、これは３．５８ＭＨｚの中心から離れるほどより小さくなる。Ｓ１２３は輝度信号であり、この輝度信号出力は、コンポジット映像信号から色信号を減算して求めているが、従来よりも色信号の出力振幅が小さくなったため、振幅差（コントラスト）がつき、めりはりのある映像が得られる。
【００４７】
このように、この実施の形態１によれば、入力されたコンポジット映像信号の３ライン間の帯域制限された映像信号より、輝度信号成分の斜め方向の相関を輝度斜め相関検出回路１４１により検出し、斜め縞のような斜め方向の輝度信号成分が入力された場合には帯域通過フィルタの特性を切換えることにより、３ライン色分離回路１２３に入力する信号Ｓ１２７，Ｓ１２８，Ｓ１２９の帯域を狭めることによって、出力される色信号におけるクロスカラーを低減できるとともに、出力される輝度信号における斜め方向の解像度の改善を図ることができる。
【００４８】
なお、実施の形態１の例では、バンドパスフィルタ１２４，１２５，１２６は、バンドパスフィルタ１０３，１０４，１０５の特性よりも狭い帯域制限の特性をもつフィルタと説明したが、これらは、バンドパスフィルタ１０３，１０４，１０５と同特性とし、フィルタ段数を切換えることでフィルタ効果が変化するように構成しても構わない。
また、輝度斜め相関検出回路１４１における判定レベルＳ１４１を適宜変更することで、検出可能な斜め方向の相関の度合いを変化させることも可能である。
【００４９】
実施の形態２．
この実施の形態２は、請求項８ないし１１および１９に対応するもので、輝度信号の斜め成分に加えて、輝度信号の垂直相関を検出することで、斜め方向の相関の検出精度を上げるようにしたもので、３ライン色分離回路１２３に入力される帯域を広げるのは、輝度成分が斜め方向に相関がある場合であっても垂直方向には相関がない場合に限るようにすることで、斜め方向の相関の検出の誤動作を抑えるようにしたものである。
【００５０】
以下、本発明の実施の形態２について、図面を参照しながら説明する。
図３は本実施の形態における輝度信号／色信号分離装置の構成を示すブロック図である。この図３の輝度信号／色信号分離装置は、前記実施の形態１において説明した構成要素に以下の構成要素を加えたものである。図３において、２４２は減算器（第３の減算部）、２４３は絶対値回路（第３の絶対値部）、２４４は比較回路（第３の比較部）、２４５はこれらの構成要素２４２ないし２４４からなり、入力されたコンポジット映像信号に対し、３ライン色分離回路１２３が色分離を行う際の基準となる基準ラインの前後するラインの間の垂直方向の輝度信号成分を検出する輝度信号垂直成分検出回路（垂直輝度相関検出部）であり、減算器２４２は加算器１３０の出力信号Ｓ１３０から加算器１３１の出力信号Ｓ１３１を減算する。絶対値回路２４３は減算器２４２の出力信号Ｓ２４２の絶対値を出力する。これら減算器２４２および絶対値回路２４３は、基準ラインの前後するラインのコンポジット映像信号における互いに垂直方向にずれた信号成分同士の差の大きさである垂直差分を検出する垂直差分検出部２４５ａを構成する。比較器２４４は絶対値回路２４３の出力信号Ｓ２４３と判定レベル（第２の判定用のレベル）Ｓ２４５とを比較する比較器であり、垂直差分検出部２４５ａにより検出された垂直差分を第２の判定用のレベルと比較することで輝度垂直相関の有無を判定する垂直相関判定部２４５ｂを構成する。また、２４６は論理回路（第２の論理部）であり、比較器２４４の出力信号Ｓ２４４と輝度斜め相関検出回路１４１内の論理回路１４０の出力信号Ｓ１４０とに対し所定の論理演算を行い、その出力信号Ｓ２４６により、切換器１２７ないし１２９を切り換える。
【００５１】
以上のように構成された輝度信号／色信号分離装置において、以下その動作について説明する。
前記実施の形態１と同一動作をする構成要素に関しては同一符号とし、動作説明を省略する。センターラインの上，下の輝度信号成分Ｓ１３０とＳ１３１とを輝度垂直相関検出回路２４５の減算器２４２に入力し減算を行うことにより垂直方向の差分信号Ｓ２４２を得て、絶対値回路２４３により垂直方向の絶対値差分信号Ｓ２４３をとる。垂直方向に輝度信号成分が揃っている場合には絶対値差分信号Ｓ２４３の値が小さくなるため、比較回路２４４で輝度成分の垂直方向の判定レベル（第２の判定レベル）Ｓ２４５と比較することにより、輝度成分が垂直方向に存在することを検出し、垂直輝度成分判定信号Ｓ２４４を得る。論理回路２４６は２入力の一方が負論理のＡＮＤ回路であり、斜め成分判定信号Ｓ１４０と垂直輝度成分判定信号Ｓ２４４から垂直方向に輝度信号成分が相関が無いと検出し、斜め輝度成分があると判定した場合に切換信号Ｓ２４６を出力する。この切換信号Ｓ２４６が、輝度成分が垂直方向に相関が無く斜め方向に相関がある旨を示す場合は、切換回路１２７，１２８，１３９により狭帯域に制限された映像信号Ｓ１２４，Ｓ１２５，Ｓ１２６を、輝度成分が斜め方向に無い旨を示す場合は、帯域制限された映像信号Ｓ１０４，Ｓ１０５，Ｓ１０６を各々入力信号Ｓ１２７，Ｓ１２８，Ｓ１２９として３ライン色分離回路１２３に入力する。３ライン色分離回路１２３により色信号Ｓ１２２を得て、コンポジット映像信号Ｓ１０２から色信号Ｓ１２２を減算器１２２により減算することにより輝度信号Ｓ１２３を得る。
【００５２】
図４は、コンポジット信号として斜め線の画像が入力される場合の信号の例を示す。
図４におけるコンポジット映像信号Ｓ１０１，Ｓ１０２，Ｓ１０３は、斜め線が入力されている場合を示している。また、図４におけるコンポジット映像信号Ｓ１０４，Ｓ１０５，Ｓ１０６は、バンドパスフィルタ１０３，１０４，１０５を通過することにより帯域制限がかけられたものである。図４における信号Ｓ１３０ないしＳ１３９は、斜め相関検出回路１４１の処理結果を示している。図４における信号Ｓ１４０は、斜め相関検出結果を示しており、“Ｈ”は相関あり、“Ｌ”は相関なしを示す。図４における信号Ｓ２４２，Ｓ２４３は、輝度垂直相関検出回路２４５の処理結果を示しており、図４における信号Ｓ２４４は輝度垂直相関検出回路２４５の検出結果を示しており、“Ｈ”は相関あり、“Ｌ”は相関なしを示す。この検出結果は、図４に示すように、コンポジット映像信号Ｓ１０１，Ｓ１０３の値が大きく違っている箇所では“Ｌ”となり、あまり異ならない箇所では“Ｈ”になっている。図４における信号Ｓ２４６は、切換回路１２７，１２８，１２９の制御信号であり、斜め相関および垂直相関を総合的に反映するもので、“Ｈ”はバンドパスフィルタ１０３，１０４，１０５およびバンドパスフィルタ１２４，１２５，１２６により狭帯域な帯域通過特性とする場合を示し、“Ｌ”はバンドパスフィルタ１０３，１０４，１０５のみにより、バンドパスフィルタ１２４，１２５，１２６が加わるよりも広帯域な帯域通過特性とする場合を示している。この制御信号Ｓ２４６により、斜め方向に相関があり垂直方向に相関がない場合には３ライン色分離回路１２３の入力は、２種類のバンドパスフィルタ１０３，１０４，１０５および１２４，１２５，１２６の特性を総合した狭帯域な帯域通過特性により、斜め方向に相関があり垂直方向にも相関がある場合にはバンドパスフィルタ１０３，１０４，１０５のみによる広帯域な帯域通過特性により帯域制限されるものとなっている。
【００５３】
図５は、コンポジット信号として縦線の画像が入力される場合の信号の例を示す。
図５におけるコンポジット映像信号Ｓ１０１，Ｓ１０２，Ｓ１０３は縦線が入力されている場合を示している。また、図５におけるコンポジット映像信号Ｓ１０４，Ｓ１０５，Ｓ１０６は、バンドパスフィルタ１０３，１０４，１０５を通過することにより帯域制限がかけられたものである。図５における信号Ｓ１３０ないしＳ１３９は斜め相関検出回路１４１の処理結果を示している。図５における信号Ｓ１４０は斜め相関検出結果を示しており、“Ｈ”は相関あり、“Ｌ”は相関なしを示す。この図５の場合は、縦線が入力されるので、信号Ｓ１４０は相関なしを示している。図５における信号Ｓ２４２およびＳ２４３は輝度垂直相関検出回路２４５の処理結果を示す。図５における信号Ｓ２４４は垂直輝度相関検出結果を示しており、この図５の場合、信号Ｓ２４４は相関ありを示している。図５における信号Ｓ２４６は切換回路１２７，１２８，１２９の制御信号であり、斜め相関および垂直相関を総合的に反映するもので、この制御信号Ｓ２４６により、３ライン色分離回路１２３の入力は、バンドパスフィルタ１０３，１０４，１０５のみにより広帯域な帯域通過特性により帯域制限されるものとなっている。
【００５４】
図６は、コンポジット信号として同色の画像が入力される場合の信号の例を示す。
図６におけるコンポジット映像信号Ｓ１０１，Ｓ１０２，Ｓ１０３は、輝度信号が一定で同色のものが入力されている場合を示している。また、図６におけるコンポジット映像信号Ｓ１０４，Ｓ１０５，Ｓ１０６は、バンドパスフィルタ１０３，１０４，１０５を通過することにより帯域制限がかけられたものを示している。図６における信号Ｓ１３０ないしＳ１３９は、斜め相関検出回路１４１の処理結果を示している。図６における信号Ｓ１４０は、斜め相関検出回路１４１の検出結果を示しており、“Ｈ”は相関あり、“Ｌ”は相関なしを示す。この図６の場合、同色の画像が入力されるので、信号Ｓ１４０は相関なしを示している。図６における信号Ｓ２４２，Ｓ２４３は、輝度垂直相関検出回路２４５の処理結果を示す。図６における信号Ｓ２４４は、輝度垂直相関検出回路２４５の検出結果を示しており、この図６の場合、信号Ｓ２４４は相関ありを示している。図６における信号Ｓ２４６は、切換回路１２７，１２８，１２９の制御信号であり、斜め相関および垂直相関を総合的に反映するもので、この制御信号Ｓ２４６により、３ライン色分離回路１２３の入力は、バンドパスフィルタ１０３，１０４，１０５のみにより広帯域な帯域通過特性により帯域制限されるものとなっている。
【００５５】
この実施の形態２によれば、入力されたコンポジット映像信号の３ライン間の帯域制限された映像信号より輝度信号成分の垂直方向と斜め方向の相関を輝度斜め相関検出回路１４１と輝度垂直相関検出回路２４５とにより検出し、輝度成分が垂直方向に相関が無く斜め方向に相関がある場合に３ライン色分離回路１２３に入力する信号Ｓ１２７，Ｓ１２８，Ｓ１２９の帯域を狭めるように帯域通過フィルタの特性を切換えることによって、斜め縞のような斜め方向のみの輝度信号成分が３ライン色分離回路１２３に入力された場合に、入力される帯域を狭める際、少しでも縦方向に輝度の成分を検出できれば、その結果を優先させて色分離回路１２３に入力される帯域を狭めるのを抑えることにより、出力される色信号におけるクロスカラーを低減する動作の正確さを増すことができるとともに、出力される輝度信号における斜め方向の解像度の改善をより正確に実現することができる。
【００５６】
なお、輝度垂直相関検出回路２４５における判定レベルＳ２４５を適宜変更することで、垂直方向の輝度相関の検出感度を変化させることが可能である。
【００５７】
実施の形態３．
この実施の形態３は、請求項１２ないし１５および２０に対応するもので、輝度信号の斜め成分、垂直相関に加えて、色信号の垂直相関を検出することで、斜め方向の相関の検出精度をより一層向上させるようにしたもので、３ライン色分離回路１２３に入力される帯域を狭めるのは、輝度成分が斜め方向に相関がある場合であっても、垂直方向には相関が無く、色成分に関しても垂直方向に相関が無い場合に限るようにすることで、斜め方向の相関の検出の誤動作をさらに抑えるようにしたものである。
【００５８】
以下、本発明の実施の形態３について、図面を参照しながら説明する。
図７は本実施の形態３における輝度信号／色信号分離装置の構成を示すブロック図である。この図７の輝度信号／色信号分離装置は、前記実施の形態２において説明した構成要素に以下の構成要素を加えたものである。図７において、３４７，３４８は反転回路（第３，第４の反転部）、３４９，３５０は減算器（第４，第５の差分部）、３５１，３５２は絶対値回路（第４，第５の絶対値部）、３５３，３５４は比較回路（第４，第５の比較部）、３５５は論理回路（第３の論理部）、３５６はこれら構成要素３４７ないし３５５からなり、基準ラインの前後するラインの間の垂直方向の色信号成分を検出する垂直色相関検出回路（垂直色相関検出部）であり、反転回路３４７，３４８は帯域通過フィルタ１０３，１０５の出力信号を反転する。減算器３４９は反転回路３４７の出力信号Ｓ３４７から帯域通過フィルタ１０４の出力信号Ｓ１０５を減算する。減算器３５０は反転回路３４８の出力信号Ｓ３４８から帯域通過フィルタ１０４の出力信号Ｓ１０５を減算する。絶対値回路３５１，３５２は減算器３５１，３５２の出力信号Ｓ３４９，Ｓ３５０の絶対値をとる。これら反転回路３４７，３４８および絶対値回路３５１，３５２は基準ラインとその前，後のラインのコンポジット映像信号における互いに垂直方向にずれた信号成分同士の差の大きさである隣接ライン間垂直差分を検出する隣接ライン間垂直差分検出部３５６ａを構成する。また、比較器３５３は絶対値回路３５１の出力信号Ｓ３５１と判定レベル（第３の判定用のレベル）Ｓ３５６とを比較する。比較器３５４は絶対値回路３５２の出力信号Ｓ３５２と判定レベルＳ３５６とを比較する。論理回路３５５は比較器３５３の出力信号Ｓ３５３と比較器３５４の出力信号Ｓ３５４とに対し論理演算を行う。これら比較器３５３，３５４および論理回路３５５は隣接ライン間垂直差分検出部３５６ａにより検出された隣接ライン間垂直差分を第３の判定用のレベルと比較することで垂直色相関の有無を判定する隣接ライン間垂直相関判定部３５６ｂを構成する。また論理回路（第４の論理部）３５７は論理回路１４０の出力信号Ｓ１４０，比較器２４４の出力信号Ｓ２４４および論理回路３５５の出力信号Ｓ３５５の出力信号に対し論理演算を行う。
【００５９】
以上のように構成された輝度信号／色信号分離装置において、以下、その動作について説明する。
前記実施の形態１，２と同一の動作をする構成要素に関しては同一符号とし、動作説明を省略する。帯域制限された映像信号Ｓ１０４，Ｓ１０５，Ｓ１０６から反転回路３４７，３４８により基準ラインの上，下のラインを反転した映像信号Ｓ３４７，Ｓ３４８を得て、減算器３４９，３５０により基準ラインの映像信号Ｓ１０５を減算することにより色成分の垂直方向の差分信号Ｓ３４９，Ｓ３５０を得て、絶対値回路３５１，３５２により色成分の垂直方向の絶対値差分信号Ｓ３５１，Ｓ３５２をとる。垂直方向に色信号成分が揃っている場合に絶対値差分信号Ｓ３５１，Ｓ３５２は小さくなるため、比較回路３５３，３５４において色成分の垂直方向の判定レベルＳ３５６と比較することにより、色成分が垂直方向にあることを検出し、垂直色成分判定信号Ｓ３５３，Ｓ３５４を得る。論理回路３５５はＯＲ回路であり、斜め成分判定信号Ｓ３５３，Ｓ３５４のどちらか一方でも色の垂直成分があると判定した場合に切換信号Ｓ３５５を出力する。論理回路３５７は３入力のうちの２入力が負論理のＡＮＤ回路であり、斜め成分判定信号Ｓ１４０と垂直輝度成分判定信号Ｓ２４４と垂直色成分判定信号Ｓ３５５とから垂直方向に輝度信号成分の相関と色信号成分の相関が無いと検出し、斜め輝度成分があると判定した場合に切換信号Ｓ３５７を出力する。切換信号Ｓ３５７が、色信号成分が垂直方向に相関が無く、輝度成分が垂直方向に相関が無く斜め方向に相関がある旨を示す場合は、切換回路１２７，１２８，１２９は、狭帯域に制限された映像信号Ｓ１２４，Ｓ１２５，Ｓ１２６を、輝度成分が斜め方向に無いと検出した時は帯域制限された映像信号Ｓ１０４，Ｓ１０５，Ｓ１０６を各々入力信号Ｓ１２７，Ｓ１２８，Ｓ１２９として３ライン色分離回路１２３に入力する。この３ライン色分離回路１２３により色信号Ｓ１２２を得て、コンポジット映像信号Ｓ１０２から色信号Ｓ１２２を減算器１２２により減算することにより輝度信号Ｓ１２３を得る。ここで、切換信号Ｓ３５７を生成するにあたり、輝度垂直相関検出回路２４５における判定レベルを変更することで、コンポジット映像信号を相対的に水平方向に引き伸ばすことにより、輝度信号の斜め成分の判定範囲を広げることも可能である。
【００６０】
図８は、コンポジット信号として斜め線の画像が入力される場合の信号の例を示す。
図８におけるコンポジット映像信号Ｓ１０１，Ｓ１０２，Ｓ１０３は斜め線が入力されている場合を示している。図４における信号Ｓ２４４は輝度垂直相関検出回路２４５の検出結果を示しており、“Ｈ”は相関あり、“Ｌ”は相関なしを示す。この検出結果は、図４に示すように、コンポジット映像信号Ｓ１０１，Ｓ１０３の値が大きく違っている箇所では“Ｌ”となり、あまり異ならない箇所では“Ｈ”になっている。また、図８におけるコンポジット映像信号Ｓ３４７，Ｓ１０５，Ｓ３４８は、バンドパスフィルタ１０３，１０４，１０５および反転回路３４７，３４８を通過することにより帯域制限がかけられ位相合わせが行われたものである。図８における信号Ｓ１３０ないしＳ１３９は斜め相関検出回路１４１の処理結果を示している。図８における信号Ｓ１４０は斜め相関検出結果を示しており、“Ｈ”は相関あり、“Ｌ”は相関なしを示す。
【００６１】
図８における信号Ｓ３４９ないしＳ３５４は垂直色相関検出回路３５６の処理結果を示している。図８における信号Ｓ３５５は垂直色相関検出回路３５６の検出結果を示しており、“Ｈ”は相関あり、“Ｌ”は相関なしを示す。この検出結果は、図８に示すように、映像信号の期間ではコンポジット信号Ｓ１０１とＳ１０３との位相がずれているため、同期信号の区間では“Ｈ”となり、映像信号の期間では“Ｌ”となっている。
【００６２】
図８における信号Ｓ３５７は切換回路１２７，１２８，１２９の制御信号であり、斜め相関，垂直輝度相関及び垂直色相関を総合的に反映するものであり、“Ｈ”はバンドパスフィルタ１０３，１０４，１０５およびバンドパスフィルタ１２４，１２５，１２６により狭帯域とする場合を示し、“Ｌ”はバンドパスフィルタ１０３，１０４，１０５のみにより、バンドパスフィルタ１２４，１２５，１２６が加わるよりも広帯域な帯域通過特性とする場合を示している。この制御信号Ｓ３５７により、斜め方向に相関があり、垂直方向に輝度相関がなく色相関もない場合には３ライン色分離回路１２３の入力は、２種類のバンドパスフィルタ１０３，１０４，１０５および１２４，１２５，１２６による狭帯域な帯域通過特性により、斜め方向に相関がない、もしくは垂直方向に輝度相関があり、もしくは色相関がありの場合にはバンドパスフィルタ１０３，１０４，１０５による広帯域な帯域通過特性により、帯域制限されるものとなっている。
【００６３】
図９は、コンポジット信号として縦線の画像が入力される場合の信号の例を示す。
図９におけるコンポジット映像信号Ｓ１０１，Ｓ１０２，Ｓ１０３は縦線が入力されている場合を示している。また、図９におけるコンポジット映像信号Ｓ３４７，Ｓ１０５，Ｓ３４８は、バンドパスフィルタ１０３，１０４，１０５および反転回路３４７，３４８を通過することにより帯域制限がかけられ位相合わせが行われたものである。図９における信号Ｓ１３０ないしＳ１３９は斜め相関検出回路１４１の処理結果を示している。図９における信号Ｓ１４０は斜め相関検出結果を示しており、“Ｈ”は相関あり、“Ｌ”は相関なしを示す。この図９の場合は、縦線が入力されるので、信号Ｓ１４０は相関なしを示している。図９における信号Ｓ２４４は垂直輝度相関検出結果を示しており、この図９の場合、信号Ｓ２４４は相関ありを示している。信号Ｓ３４９ないしＳ３５４は垂直色相関検出回路３５６の処理結果を示す。図９における信号Ｓ３５７は切換回路１２７，１２８，１２９の制御信号であり、斜め相関，垂直輝度相関および垂直色相関を総合的に反映するもので、この制御信号Ｓ３５７により、３ライン色分離回路１２３の入力は、バンドパスフィルタ１０３，１０４，１０５のみにより広帯域な帯域通過特性により帯域制限されるものとなっている。
【００６４】
図１０は、コンポジット信号として輝度信号が一定かつ同色の画像が入力される場合の信号の例を示す。
図１０におけるコンポジット映像信号Ｓ１０１，Ｓ１０２，Ｓ１０３は輝度信号が一定で同色のものが入力されている場合を示している。また、図１０におけるコンポジット映像信号Ｓ３４７，Ｓ１０５，Ｓ３４８は、バンドパスフィルタ１０３，１０４，１０５を通過することにより帯域制限がかけられたものである。図１０における信号Ｓ１３０ないしＳ１３９は斜め相関検出回路１４１の処理結果を示している。図１０における信号Ｓ１４０は斜め相関検出結果を示しており、“Ｈ”は相関あり、“Ｌ”は相関なしを示す。この図１０の場合、同色の画像が入力されるので、信号Ｓ１４０は相関なしを示している。図１０における信号Ｓ２４４は垂直輝度相関検出結果を示している。この図１０の場合、信号Ｓ２４４は相関ありを示している。図１０における信号Ｓ３４９ないしＳ３５４は垂直色相関検出回路３５６の処理結果を示している。信号Ｓ３５５は垂直色相関検出回路３５６の検出結果を示しており、“Ｈ”は相関あり、“Ｌ”は相関なしを示す。図１０における信号Ｓ３５７は切換回路１２７，１２８，１２９の制御信号であり、斜め相関，垂直輝度相関および垂直色相関を総合的に反映するもので、この制御信号Ｓ３５７により、３ライン色分離回路１２３の入力は、バンドパスフィルタ１０３，１０４，１０５のみによる広帯域な帯域通過特性により帯域制限されるものとなっている。
【００６５】
この実施の形態３によれば、入力されたコンポジット映像信号の３ライン間の帯域制限された映像信号より色信号の垂直方向と輝度信号成分の垂直方向と斜め方向の相関を輝度斜め相関検出回路１４１と輝度垂直相関検出回路２４５と垂直色相関検出回路３５６により検出し、３ライン色分離回路１２３に入力する信号Ｓ１２７，Ｓ１２８，Ｓ１２９に対し、色成分が垂直方向に相関が無く、輝度成分が垂直方向に相関が無く斜め方向に相関がある場合に３ライン色分離回路に入力する信号Ｓ１２７，Ｓ１２８，Ｓ１２９の帯域を狭めるように帯域通過フィルタの特性を切換えることによって、斜め縞のような斜め方向のみの輝度信号成分が３ライン色分離回路１２３に入力された場合に、入力される帯域を狭める際、少しでも縦方向に輝度の成分および色の成分を検出できれば、その結果を優先させて色分離回路１２３に入力される帯域を狭めるのを抑えることにより、出力される色信号におけるクロスカラーを低減する動作の正確さをより増すことができるとともに、出力される輝度信号における斜め方向の解像度の改善を一層正確に実現することができる。
【００６６】
なお、垂直色相関検出回路３５６における判定レベルＳ３５６を適宜変更することで、検出可能な垂直方向の色相関の度合いを変化させることが可能である。
【００６７】
実施の形態４．
この実施の形態４は、請求項１６，１７，２１に対応するもので、輝度信号の斜め成分、垂直相関に加えて、色信号の垂直相関を検出することで、斜め方向の相関の検出精度をより一層向上させるようにしたもので、３ライン色分離回路１２３から出力される帯域を狭めるのは、輝度成分が斜め方向に相関がある場合であっても、垂直方向には相関が無く、色成分に関しても垂直方向に相関が無い場合に限るようにすることで、斜め方向の相関の検出の誤動作をさらに抑えるようにしたものである。
【００６８】
以下、本発明の実施の形態４について、図面を参照しながら説明する。
図１１は本実施の形態４における輝度信号／色信号分離装置の構成を示すブロック図である。図１１において、４５８はバンドパスフィルタ３、４５９は切換回路である。バンドパスフィルタ４５８は３ライン色分離回路１２３の出力信号が入力され、切換回路４５９は３ライン色分離回路１２３の出力信号とバンドパスフィルタ４５８の出力信号とを論理回路３５７の出力信号Ｓ３５７に応じて切換える。他の構成要素は前記実施の形態３において説明したものと同様であるが、実施の形態１ないし３においてバンドパスフィルタ１０３ないし１０５と３ライン色分離回路１２３との間に設けられていたバンドパスフィルタ１２４ないし１２６および切換回路１２７ないし１２９は省略されている。
【００６９】
以上のように構成された輝度信号／色信号分離装置について、以下にその動作を説明する。
前記実施の形態１，２，３と同一動作をする構成要素に関しては同一符号とし、動作説明を省略する。切換回路４５９は切換信号Ｓ３５７が色信号成分が垂直方向に相関が無く、輝度成分が垂直方向に相関が無く、斜め方向に相関がある旨を示す場合は、３ライン色分離回路１２３から出力される色信号Ｓ１２２にバンドパスフィルタ４５８により帯域制限を加えた信号を選択し、輝度成分が斜め方向に無いと検出した時は色信号Ｓ１２２そのものを色信号Ｓ４５９として出力する。
そして、コンポジット映像信号Ｓ１０２から色信号Ｓ４５９を減算器１２２により減算することにより輝度信号Ｓ１２３を得る。
【００７０】
この実施の形態４によれば、入力されたコンポジット映像信号の３ライン間の帯域制限された映像信号より色信号の垂直方向と輝度信号成分の垂直方向と斜め方向の相関を輝度斜め相関検出回路１４１と輝度垂直相関検出回路２４５と垂直色相関検出回路３５６により検出し、３ライン色分離回路１２３が出力する信号に対し、色成分が垂直方向に相関が無く、輝度成分が垂直方向に相関が無く斜め方向に相関がある場合に３ライン色分離回路から出力する信号の帯域を狭めるように帯域通過フィルタの特性を切換えることによって、狭帯域通過フィルタの回路規模を抑えるとともに、斜め縞のような斜め方向のみの輝度信号成分が３ライン色分離回路１２３に入力された場合に、出力される帯域を狭める際、少しでも縦方向に輝度の成分および色の成分を検出できれば、その結果を優先させて色分離回路１２３から出力される帯域を狭めるのを抑えることにより、出力される色信号におけるクロスカラーを低減する動作の正確さをより増すことができるとともに、出力される輝度信号における斜め方向の解像度の改善を一層正確に実現することができる。
【００７１】
なお、この実施の形態４では、色信号の垂直方向と輝度信号成分の垂直方向と斜め方向の相関の３種類の検出を行うようにしたが、実施の形態１のように、輝度信号の斜め成分の相関のみを、実施の形態２のように、輝度信号の斜め成分および垂直方向の相関を検出するようにしてもよい。
【００７２】
また、垂直色相関検出回路３５６における判定レベルＳ３５６を適宜変更することで、検出可能な垂直方向の色相関の度合いを変化させることが可能である。さらに、上記各実施の形態ではＡ／Ｄ変換されたＮＴＳＣ信号を例にとって説明したが、Ａ／Ｄ変換されたＰＡＬ信号であってもよい。
【００７３】
また、上記各実施の形態では、ハードウエアによる実現のみを示したが、マイコンやデジタルシグナルプロセッサなどにより、輝度信号／色信号分離方法に対応するソフトウエアを実行することにより実現するようにしてもよく、上記各実施の形態と同様の効果を奏する。
【００７４】
【発明の効果】
以上のように、本発明の請求項１記載の輝度信号／色信号分離装置によれば、３ライン色分離回路からなり、入力されたコンポジット映像信号から色信号を分離する色分離部と、該色分離部の出力信号の帯域を狭めるための、通過帯域が切換え可能な帯域通過フィルタと、前記コンポジット映像信号から前記色分離部により分離された色信号を差し引くことで輝度信号を分離する輝度分離部と、前記コンポジット映像信号から輝度信号の斜め成分を検出する輝度斜め成分検出部と、該輝度斜め成分検出部の検出結果が輝度斜め成分が多い旨の場合に通過帯域を狭め少ない旨の場合に通過帯域を広げるように前記帯域制限フィルタの通過帯域を切換える通過帯域切換部とを備え、輝度斜め成分検出部の検出結果に応じて色分離部の入力段の帯域制限フィルタを切換えるようにしたので、斜め縞のような斜め方向の輝度信号成分が色分離部に入力されていない場合は広帯域なバンドパスフィルタを用いることにより色のトランジェントを確保し、斜め縞のような斜め方向の輝度信号成分が色分離部に入力された場合は、帯域制限フィルタの通過帯域を狭めるように切り換えを行うことにより、該フィルタを通過する入力される映像信号が少なくなるため、出力される色信号においてクロスカラーの低減を図ることができる。また、出力される輝度信号においても斜め方向の解像度の改善を図ることができる効果がある。
【００７５】
また、本発明の請求項２記載の輝度信号／色信号分離装置によれば、請求項１記載の輝度信号／色信号分離装置において、前記帯域制限フィルタは、通過帯域の広い広帯域通過フィルタと通過帯域の狭い狭帯域通過フィルタとを具備し、該帯域通過フィルタを前記色分離部の入力側に設けるとともに、前記通過帯域切換部は、輝度信号の斜め成分が多い場合は狭帯域通過フィルタに、輝度信号の斜め成分が少ない場合は広帯域通過フィルタに切換えるようにしたので、斜め縞のような斜め方向の輝度信号成分が色分離部に入力されていない場合は広帯域なバンドパスフィルタを用いることにより色のトランジェントを確保し、斜め縞のような斜め方向の輝度信号成分が色分離部に入力された場合は、帯域制限フィルタの通過帯域を狭めるように切り換えを行うことにより、該フィルタを通過する入力される映像信号が少なくなるため、出力される色信号においてクロスカラーの低減を図ることができる。また、出力される輝度信号においても斜め方向の解像度の改善を図ることができる効果がある。
【００７６】
また、本発明の請求項３記載の輝度信号／色信号分離装置によれば、請求項２記載の輝度信号／色信号分離装置において、前記帯域制限フィルタは、通過帯域の広い広帯域通過フィルタと通過帯域の狭い狭帯域通過フィルタとをこの順に直列接続してなり、前記通過帯域切換部は、前記広帯域通過フィルタの出力信号あるいは前記狭帯域通過フィルタの出力信号のいずれか一方を選択することで、前記帯域制限フィルタの帯域通過特性を切り換えるようにしたので、斜め縞のような斜め方向の輝度信号成分が色分離部に入力されていない場合は広帯域なバンドパスフィルタを用いることにより色のトランジェントを確保し、斜め縞のような斜め方向の輝度信号成分が色分離部に入力された場合は、帯域制限フィルタの通過帯域を狭めるように切り換えを行うことにより、該フィルタを通過する入力される映像信号が少なくなるため、出力される色信号においてクロスカラーの低減を図ることができる。また、出力される輝度信号においても斜め方向の解像度の改善を図ることができる効果がある。
【００７７】
また、本発明の請求項４記載の輝度信号／色信号分離装置によれば、請求項１記載の輝度信号／色信号分離装置において、前記色分離部は、色分離を行う際の基準となる基準ラインのコンポジット映像信号の前，後のラインのコンポジット映像信号を反転する第１，第２の反転部と、前記第１，第２の反転部の出力信号と前記基準ラインのコンポジット映像信号とにおける最大値と最小値の中間の値を検出し、該中間の値を色信号として出力する中間値検出部とを備えるようにしたので、色分離部の具体的な構成を提供できるとともに、斜め縞のような斜め方向の輝度信号成分が色分離部に入力されていない場合は広帯域なバンドパスフィルタを用いることにより色のトランジェントを確保し、斜め縞のような斜め方向の輝度信号成分が色分離部に入力された場合は、帯域制限フィルタの通過帯域を狭めるように切り換えを行うことにより、該フィルタを通過する入力される映像信号が少なくなるため、出力される色信号においてクロスカラーの低減を図ることができる。また、出力される輝度信号においても斜め方向の解像度の改善を図ることができる効果がある。
【００７８】
また、本発明の請求項５記載の輝度信号／色信号分離装置では、請求項４記載の輝度信号／色信号分離装置において、前記中間値検出部は、前記第１の反転部の出力信号と前記基準ラインのコンポジット映像信号との最小値，最大値を検出する第１の最小値部，最大値部と、前記第２の反転部の出力信号と前記基準ラインのコンポジット映像信号との最小値，最大値を検出する第２の最小値部，最大値部と、前記第１の最小値部の出力信号と前記第２の最小値部の出力信号との最小値，最大値を検出する第３の最小値部，最大値部と、前記第１の最大値部の出力信号と前記第２の最大値部の出力信号との最小値，最大値を検出する第４の最小値部，最大値部と、前記第３の最小値部の出力信号と前記第４の最大値部の出力信号とを加算する第１の加算部と、該第１の加算部の出力信号を２分の１にする２分の１部と、前記第３の最大値部の出力信号と前記２分の１部の出力信号との最小値を検出する第５の最小値部と、前記第４の最小値部の出力信号と前記２分の１部の出力信号との最小値を検出する第６の最小値部と、前記第３の最大値部の出力信号と前記第４の最小値部の出力信号との最小値を検出する第７の最小値部と、前記第５，第６，第７の最小値部の出力信号の最大値を検出することで色信号を分離する第５の最大値部とを備えるようにしたので、色分離部の具体的な構成を提供できるとともに、斜め縞のような斜め方向の輝度信号成分が色分離部に入力されていない場合は広帯域なバンドパスフィルタを用いることにより色のトランジェントを確保し、斜め縞のような斜め方向の輝度信号成分が色分離部に入力された場合は、帯域制限フィルタの通過帯域を狭めるように切り換えを行うことにより、該フィルタを通過する入力される映像信号が少なくなるため、出力される色信号においてクロスカラーの低減を図ることができる。また、出力される輝度信号においても斜め方向の解像度の改善を図ることができる効果がある。
【００７９】
また、本発明の請求項６記載の輝度信号／色信号分離装置によれば、請求項１記載の輝度信号／色信号分離装置において、前記輝度斜め成分検出部は、色分離を行う際の基準となる基準ラインの前，後のラインのコンポジット映像信号における互いに斜め方向にずれた信号成分同士の差の大きさである斜め差分を検出する斜め差分検出部と、該斜め差分検出部により検出された斜め差分を第１の判定用のレベルと比較することで輝度斜め成分の有無を判定する斜め成分判定部とを備えるようにしたので、輝度斜め成分検出部の具体的な構成を提供できるとともに、斜め縞のような斜め方向の輝度信号成分が色分離部に入力されていない場合は広帯域なバンドパスフィルタを用いることにより色のトランジェントを確保し、斜め縞のような斜め方向の輝度信号成分が色分離部に入力された場合は帯域制限フィルタの通過帯域を狭めるように切り換えを行うことにより、該フィルタを通過する入力される映像信号が少なくなるため、出力される色信号においてクロスカラーの低減を図ることができる。また、出力される輝度信号においても斜め方向の解像度の改善を図ることができる効果がある。
【００８０】
また、本発明の請求項７記載の輝度信号／色信号分離装置によれば、請求項６記載の輝度信号／色信号分離装置において、前記斜め差分検出部は、前記基準ラインのコンポジット映像信号とその前，後のラインのコンポジット映像信号とを加算する第２，第３の加算部と、該第２，第３の加算部が出力するデータを遅延させる第１，第２の遅延部と、前記第２，第３の加算部の出力と前記第２，第１の遅延部の出力とのデータの差分をとる第１，第２の差分部と、該第１，第２の差分部により得られた差分値の絶対値をとる第１，第２の絶対値部とを有するものであり、前記斜め成分判定部は、前記第１，第２の絶対値部により得られた第１，第２の絶対値レベルと第１の判定用のレベルとを比較する第１，第２の比較部と、該第１，第２の比較部による第１，第２の比較結果の論理和をとり前記コンポジット映像信号に含まれる輝度信号の斜め成分を検出する第１の論理部とを有するようにしたので、輝度斜め成分検出部の具体的な構成を提供できるとともに、斜め縞のような斜め方向の輝度信号成分が色分離部に入力されていない場合は広帯域なバンドパスフィルタを用いることにより色のトランジェントを確保し、斜め縞のような斜め方向の輝度信号成分が色分離部に入力された場合は、帯域制限フィルタの通過帯域を狭めるように切り換えを行うことにより、入力される映像信号が少なくなるため、出力される色信号においてクロスカラーの低減を図ることができる。また、出力される輝度信号においても斜め方向の解像度の改善を図ることができる効果がある。
【００８１】
また、本発明の請求項８記載の輝度信号／色信号分離装置によれば、請求項１記載の輝度信号／色信号分離装置において、前記入力されたコンポジット映像信号に対し、前記色分離部が色分離を行う際の基準となる基準ラインの前後するラインの間の垂直方向の輝度信号成分を検出する垂直輝度相関検出部をさらに備え、該垂直輝度相関検出部が、ライン間の輝度信号の相関が高いと判定した場合、前記帯域制限フィルタの通過帯域を狭くしないものとしたので、斜め縞のような斜め方向の輝度信号成分が色分離部に入力されていない場合は広帯域なバンドパスフィルタを用いることにより色のトランジェントを確保し、斜め縞のような斜め方向の輝度信号成分が色分離部に入力された場合は、垂直方向の輝度相関が検出させる場合以外に、帯域制限フィルタの通過帯域を狭めるように切り換えを行うことにより、輝度の斜め方向の相関検出が正確になり、斜め方向の相関検出時に該フィルタを通過する入力される映像信号が少なくなるため、少ない誤動作でもって、出力される色信号においてクロスカラーの低減を図ることが可能になる。また、出力される輝度信号においても斜め方向の解像度の改善を確実に図ることができる効果がある。
【００８２】
また、本発明の請求項９記載の輝度信号／色信号分離装置によれば、請求項８記載の輝度信号／色信号分離装置において、前記垂直輝度相関検出部は、前記基準ラインの前後するラインのコンポジット映像信号における互いに垂直方向にずれた信号成分同士の差の大きさである垂直差分を検出する垂直差分検出部と、該垂直差分検出部により検出された垂直差分を第２の判定用のレベルと比較することで輝度垂直相関の有無を判定する垂直相関判定部とを有するものとしたので、垂直輝度相関検出部の具体的な構成を提供できるとともに、斜め縞のような斜め方向の輝度信号成分が色分離部に入力されていない場合は広帯域なバンドパスフィルタを用いることにより色のトランジェントを確保し、斜め縞のような斜め方向の輝度信号成分が色分離部に入力された場合は、垂直方向の輝度相関が検出される場合以外に、帯域制限フィルタの通過帯域を狭めるように切り換えを行うことにより、輝度の斜め方向の相関検出が正確になり、斜め方向の相関検出時に該フィルタを通過する入力される映像信号が少なくなるため、少ない誤動作でもって、出力される色信号においてクロスカラーの低減を図ることが可能になる。また、出力される輝度信号においても斜め方向の解像度の改善を確実に図ることができる効果がある。
【００８３】
また、本発明の請求項１０記載の輝度信号／色信号分離装置によれば、請求項９記載の輝度信号／色信号分離装置において、前記垂直差分検出部は、前記基準ライン、およびその前，後のラインのコンポジット映像信号をそれぞれ加算した第１，第２の映像信号の差をとる第３の差分部と、該第３の差分部の出力信号の絶対値をとる第３の絶対値部とを有するものであり、前記垂直相関判定部は、前記第３の絶対値部の出力信号と第２の判定用のレベルとを比較することで前記コンポジット映像信号に含まれる輝度信号の垂直方向の相関を検出する第３の比較部を有するようにしたので、垂直輝度相関検出部の具体的な構成を提供できるとともに、斜め縞のような斜め方向の輝度信号成分が色分離部に入力されていない場合は広帯域なバンドパスフィルタを用いることにより色のトランジェントを確保し、斜め縞のような斜め方向の輝度信号成分が色分離部に入力された場合は、垂直方向の輝度相関が検出される場合以外に、帯域制限フィルタの通過帯域を狭めるように切り換えを行うことにより、輝度の斜め方向の相関検出が正確になり、斜め方向の相関検出時に該フィルタを通過する入力される映像信号が少なくなるため、少ない誤動作でもって、出力される色信号においてクロスカラーの低減を図ることが可能になる。また、出力される輝度信号においても斜め方向の解像度の改善を確実に図ることができる効果がある。
【００８４】
また、本発明の請求項１１記載の輝度信号／色信号分離装置によれば、請求項８記載の輝度信号／色信号分離装置において、前記垂直輝度相関検出部の検出結果の負論理と前記輝度斜め成分検出部の検出結果の正論理との論理積をとり、該論理積信号を前記輝度斜め成分検出部の検出結果に代えて前記通過帯域切換部に対し切換制御信号として出力する第２の論理部をさらに備えるようにしたので、斜め縞のような斜め方向の輝度信号成分が色分離部に入力されていない場合は広帯域なバンドパスフィルタを用いることにより色のトランジェントを確保し、斜め縞のような斜め方向の輝度信号成分が色分離部に入力された場合は、垂直方向の輝度相関が検出される場合以外に、帯域制限フィルタの通過帯域を狭めるように切り換えを第２の論理部が行うことにより、輝度の斜め方向の相関検出が正確になり、斜め方向の相関検出時に該フィルタを通過する入力される映像信号が少なくなるため、少ない誤動作でもって、出力される色信号においてクロスカラーの低減を図ることが可能になる。また、出力される輝度信号においても斜め方向の解像度の改善を確実に図ることができる効果がある。
【００８５】
また、本発明の請求項１２記載の輝度信号／色信号分離装置によれば、請求項８記載の輝度信号／色信号分離装置において、前記基準ラインの前後するラインの間の垂直方向の色信号成分を検出する垂直色相関検出部をさらに備え、色信号のライン間の相関が高い場合、前記帯域制限フィルタの通過帯域を狭くしないようにしたので、斜め縞のような斜め方向の輝度信号成分が色分離部に入力されていない場合は広帯域なバンドパスフィルタを用いることにより色のトランジェントを確保し、斜め縞のような斜め方向の輝度信号成分が色分離部に入力された場合は、垂直方向の輝度相関および色相関が検出される場合以外に、帯域制限フィルタの通過帯域を狭めるように切り換えを行うことにより、輝度の斜め方向の相関検出が一層正確になり、斜め方向の相関検出時に該フィルタを通過する入力される映像信号が少なくなるため、少ない誤動作でもって、出力される色信号においてクロスカラーの低減を図ることが可能になる。また、出力される輝度信号においても斜め方向の解像度の改善をより確実に図ることができる効果がある。
【００８６】
また、本発明の請求項１３記載の輝度信号／色信号分離装置によれば、請求項１２記載の輝度信号／色信号分離装置において、前記垂直色相関検出部は、前記基準ライン、およびその前のラインおよび後のラインのコンポジット映像信号を各々前記帯域制限フィルタにより色信号成分を含む帯域に制限された映像信号を入力し、該帯域制限された基準ラインの前、後の映像信号を反転する第３，第４の反転部と、前記基準ラインの帯域制限された映像信号とその前，後のラインの帯域制限後に反転された映像信号とにおける互いに垂直方向にずれた信号成分同士の差の大きさである隣接ライン間垂直差分を検出する隣接ライン間垂直差分検出部と、該隣接ライン間垂直差分検出部により検出された隣接ライン間垂直差分を第３の判定用のレベルと比較することで垂直色相関の有無を判定する隣接ライン間垂直相関判定部とを有するようにしたので、垂直色相関検出部の具体的な構成を提供できるとともに、斜め縞のような斜め方向の輝度信号成分が色分離部に入力されていない場合は広帯域なバンドパスフィルタを用いることにより色のトランジェントを確保し、斜め縞のような斜め方向の輝度信号成分が色分離部に入力された場合は、垂直方向の輝度相関および色相関が検出される場合以外に、帯域制限フィルタの通過帯域を狭めるように切り換えを行うことにより、輝度の斜め方向の相関検出が一層正確になり、斜め方向の相関検出時に該フィルタを通過する入力される映像信号が少なくなるため、少ない誤動作でもって、出力される色信号においてクロスカラーの低減を図ることが可能になる。また、出力される輝度信号においても斜め方向の解像度の改善をより確実に図ることができる効果がある。
【００８７】
また、本発明の請求項１４記載の輝度信号／色信号分離装置によれば、請求項１３記載の輝度信号／色信号分離装置において、前記隣接ライン間垂直差分検出部は、前記基準ラインの信号と前記第３，第４の反転部の出力信号との差分を得る第４，第５の差分部と、該第４，第５の差分部の出力信号の絶対値をとる第４，第５の絶対値部とを有するものであり、前記隣接ライン間垂直相関判定部は、前記第４，第５の絶対値部の出力信号と第３の判定用のレベルとの比較を行う第４，第５の比較部と、該第４，第５の比較部による第４，第５の比較結果の論理和をとり前記帯域制限された映像信号に含まれる色信号の垂直相関を検出する第３の論理部とを備えるようにしたので、垂直色相関検出部の具体的な構成を提供できるとともに、斜め縞のような斜め方向の輝度信号成分が色分離部に入力されていない場合は広帯域なバンドパスフィルタを用いることにより色のトランジェントを確保し、斜め縞のような斜め方向の輝度信号成分が色分離部に入力された場合は、垂直方向の輝度相関および色相関が検出される場合以外に、帯域制限フィルタの通過帯域を狭めるように切り換えを行うことにより、輝度の斜め方向の相関検出が一層正確になり、斜め方向の相関検出時に該フィルタを通過する入力される映像信号が少なくなるため、少ない誤動作でもって、出力される色信号においてクロスカラーの低減を図ることが可能になる。また、出力される輝度信号においても斜め方向の解像度の改善をより確実に図ることができる効果がある。
【００８８】
また、本発明の請求項１５記載の輝度信号／色信号分離装置によれば、請求項１１記載の輝度信号／色信号分離装置において、前記垂直輝度相関検出部の検出結果の負論理と前記垂直色相関検出部の検出結果の負論理と前記輝度斜め成分検出部の検出結果の正論理との論理積をとり、該論理積信号を前記第２の論理部の出力信号に代えて前記通過帯域切換部に対し切換制御信号として出力する第４の論理部を、前記第２の論理部に代えて設けるようにしたので、垂直色相関検出部の具体的な構成を提供できるとともに、斜め縞のような斜め方向の輝度信号成分が色分離部に入力されていない場合は広帯域なバンドパスフィルタを用いることにより色のトランジェントを確保し、斜め縞のような斜め方向の輝度信号成分が色分離部に入力された場合は、垂直方向の輝度相関および色相関が検出される場合以外に、帯域制限フィルタの通過帯域を狭めるように第４の論理部が切り換えを行うことにより、輝度の斜め方向の相関検出が一層正確になり、斜め方向の相関検出時に該フィルタを通過する入力される映像信号が少なくなるため、少ない誤動作でもって、出力される色信号においてクロスカラーの低減を図ることが可能になる。また、出力される輝度信号においても斜め方向の解像度の改善をより確実に図ることができる効果がある。
【００８９】
また、本発明の請求項１６記載の輝度信号／色信号分離装置によれば、請求項２記載の輝度信号／色信号分離装置において、前記帯域制限フィルタを、前記色分離部の入力側に代えて出力側に設けるようにしたので、帯域制限フィルタの回路規模が小さくなり、斜め縞のような斜め方向の輝度信号成分が色分離部に入力されていない場合は広帯域なバンドパスフィルタを用いることにより色のトランジェントを確保し、斜め縞のような斜め方向の輝度信号成分が色分離部に入力された場合は、垂直方向の輝度相関および色相関が検出される場合以外に、帯域制限フィルタの通過帯域を狭めるように切り換えを行うことにより、帯域輝度の斜め方向の相関検出が一層正確になり、斜め方向の相関検出時に該フィルタを通過する入力される映像信号が少なくなるため、少ない誤動作でもって、出力される色信号においてクロスカラーの低減を図ることが可能になる。また、出力される輝度信号においても斜め方向の解像度の改善をより確実に図ることができる効果がある。
【００９０】
また、本発明の請求項１７記載の輝度信号／色信号分離装置によれば、請求項２記載の輝度信号／色信号分離装置において、前記狭帯域通過フィルタを前記色分離部の入力側に代えて出力側に設けることにより、前記帯域通過フィルタを前記色分離部の入力側および出力側にまたがるように設けるとともに、前記通過帯域切換部は、輝度信号の斜め成分が多い場合は前記狭帯域通過フィルタを通過した前記色分離部の出力を選択し、斜め成分が少ない場合は前記色分離部の出力を選択することで、前記帯域制限フィルタの帯域通過特性を切り換えるようにしたので、帯域制限フィルタの回路規模が小さくなり、斜め縞のような斜め方向の輝度信号成分が色分離部に入力されていない場合は広帯域なバンドパスフィルタを用いることにより色のトランジェントを確保し、斜め縞のような斜め方向の輝度信号成分が色分離部に入力された場合は、垂直方向の輝度相関および色相関が検出される場合以外に、帯域制限フィルタの通過帯域を狭めるように切り換えを行うことにより、帯域輝度の斜め方向の相関検出が一層正確になり、斜め方向の相関検出時に該フィルタを通過する入力される映像信号が少なくなるため、少ない誤動作でもって、出力される色信号においてクロスカラーの低減を図ることが可能になる。また、出力される輝度信号においても斜め方向の解像度の改善をより確実に図ることができる効果がある。
【００９１】
また、本発明の請求項１８記載の輝度信号／色信号分離方法によれば、入力されたコンポジット映像信号から輝度信号の斜め成分を検出し、該輝度斜め成分の検出結果に応じて前記色信号の分離を行う，３ライン色分離回路からなる色信号分離部の入力側の帯域制限フィルタの通過帯域を、輝度斜め成分が多い旨の場合に通過帯域を狭め少ない旨の場合に通過帯域を広げるように切換え、該通過帯域が切り換えられたコンポジット映像信号から色信号を分離し、前記コンポジット映像信号から前記分離された色信号を差し引くことで輝度信号を分離するようにしたので、斜め縞のような斜め方向の輝度信号成分が色分離部に入力されていない場合は広帯域なバンドパスフィルタを用いることにより色のトランジェントを確保し、斜め縞のような斜め方向の輝度信号成分が色分離部に入力された場合は、帯域制限フィルタの通過帯域を狭めるように切り換えを行うことにより、該フィルタを通過する入力される映像信号が少なくなるため、出力される色信号においてクロスカラーの低減を図ることができる。また、出力される輝度信号においても斜め方向の解像度の改善を図ることができる効果がある。
【００９２】
また、本発明の請求項１９記載の輝度信号／色信号分離方法によれば、入力されたコンポジット映像信号から輝度信号の斜め成分および垂直成分を検出し、該輝度斜め成分及び輝度垂直成分の検出結果に応じて前記色信号の分離を行う，３ライン色分離回路からなる色信号分離部の入力側の帯域制限フィルタの通過帯域を、輝度斜め成分が多い旨の場合に通過帯域を狭め少ない旨の場合に通過帯域を広げ、ライン間の相関が高い場合は通過帯域を狭くしないように切換え、該通過帯域が切り換えられたコンポジット映像信号から色信号を分離し、前記コンポジット映像信号から前記分離された色信号を差し引くことで輝度信号を分離するようにしたので、斜め縞のような斜め方向の輝度信号成分が色分離部に入力されていない場合は広帯域なバンドパスフィルタを用いることにより色のトランジェントを確保し、斜め縞のような斜め方向の輝度信号成分が色分離部に入力された場合は、垂直方向の輝度相関が検出される場合以外に、帯域制限フィルタの通過帯域を狭めるように切り換えを行うことにより、輝度の斜め方向の相関検出が正確になり、斜め方向の相関検出時に該フィルタを通過する入力される映像信号が少なくなるため、少ない誤動作でもって、出力される色信号においてクロスカラーの低減を図ることが可能になる。また、出力される輝度信号においても斜め方向の解像度の改善を確実に図ることができる効果がある。
【００９３】
また、本発明の請求項２０記載の輝度信号／色信号分離方法によれば、入力されたコンポジット映像信号から輝度信号の斜め成分，垂直成分および垂直方向の色成分を検出し、該輝度斜め成分，輝度垂直成分および垂直方向の色成分の検出結果に応じて前記色信号の分離を行う，３ライン色分離回路からなる色信号分離部の入力側の帯域制限フィルタの通過帯域を、輝度斜め成分が多い旨の場合に通過帯域を狭め少ない旨の場合に通過帯域を広げ、ライン間の相関が高い場合または色信号のライン間の相関が高い場合は通過帯域を狭くしないように切換え、該通過帯域が切り換えられたコンポジット映像信号から色信号を分離し、前記コンポジット映像信号から前記分離された色信号を差し引くことで輝度信号を分離するようにしたので、斜め縞のような斜め方向の輝度信号成分が色分離部に入力されていない場合は広帯域なバンドパスフィルタを用いることにより色のトランジェントを確保し、斜め縞のような斜め方向の輝度信号成分が色分離部に入力された場合は、垂直方向の輝度相関および色相関が検出される場合以外に、帯域制限フィルタの通過帯域を狭めるように切り換えを行うことにより、輝度の斜め方向の相関検出が一層正確になり、斜め方向の相関検出時に該フィルタを通過する入力される映像信号が少なくなるため、少ない誤動作でもって、出力される色信号においてクロスカラーの低減を図ることが可能になる。また、出力される輝度信号においても斜め方向の解像度の改善をより確実に図ることができる効果がある。
【００９４】
また、本発明の請求項２１記載の輝度信号／色信号分離方法によれば、入力されたコンポジット映像信号から輝度信号の斜め成分，垂直成分および垂直方向の色成分を検出し、該輝度斜め成分，輝度垂直成分および垂直方向の色成分の検出結果に応じて前記色信号の分離を行う，３ライン色分離回路からなる色信号分離部の出力側の帯域制限フィルタの通過帯域を、輝度斜め成分が多い旨の場合に通過帯域を狭め少ない旨の場合に通過帯域を広げ、ライン間の相関が高い場合または色信号のライン間の相関が高い場合は通過帯域を狭くしないように切換え、前記コンポジット映像信号から前記通過帯域が切り換えられた色信号を分離し、前記コンポジット映像信号から前記分離された色信号を差し引くことで輝度信号を分離するようにしたので、帯域制限フィルタの回路規模が小さくなり、斜め縞のような斜め方向の輝度信号成分が色分離部に入力されていない場合は広帯域なバンドパスフィルタを用いることにより色のトランジェントを確保し、斜め縞のような斜め方向の輝度信号成分が色分離部に入力された場合は、垂直方向の輝度相関および色相関が検出される場合以外に、帯域制限フィルタの通過帯域を狭めるように切り換えを行うことにより、帯域輝度の斜め方向の相関検出が一層正確になり、斜め方向の相関検出時に該フィルタを通過する入力される映像信号が少なくなるため、少ない誤動作でもって、出力される色信号においてクロスカラーの低減を図ることが可能になる。また、出力される輝度信号においても斜め方向の解像度の改善をより確実に図ることができる効果がある。
【図面の簡単な説明】
【図１】本発明の実施の形態１に係わる輝度信号／色信号分離装置の構成を示すブロック図である。
【図２】本発明の実施の形態１に係わる輝度信号／色信号分離装置における映像信号のタイミング図である。
【図３】本発明の実施の形態２に係わる輝度信号／色信号分離装置の構成を示すブロック図である。
【図４】本発明の実施の形態２に係わる輝度信号／色信号分離装置における斜め線入力の場合における映像信号のタイミング図である。
【図５】本発明の実施の形態２に係わる輝度信号／色信号分離装置における縦線入力の場合における映像信号のタイミング図である。
【図６】本発明の実施の形態２に係わる輝度信号／色信号分離装置における同色入力の場合における映像信号のタイミング図である。
【図７】本発明の実施の形態３に係わる輝度信号／色信号分離装置の構成を示すブロック図である。
【図８】本発明の実施の形態３に係わる輝度信号／色信号分離装置における斜め線入力の場合における映像信号のタイミング図である。
【図９】本発明の実施の形態３に係わる輝度信号／色信号分離装置における縦線入力の場合における映像信号のタイミング図である。
【図１０】本発明の実施の形態３に係わる輝度信号／色信号分離装置における同色入力の場合における映像信号のタイミング図である。
【図１１】本発明の実施の形態４に係わる輝度信号／色信号分離装置の構成を示すブロック図である。
【図１２】本発明の実施の形態に係わる輝度信号／色信号分離装置のバンドパスフィルタ特性図である。
【図１３】従来の輝度信号／色信号分離装置の構成を示すブロック図である。
【図１４】従来の輝度信号／色信号分離装置における映像信号のタイミング図である。
【符号の説明】
１０１  ラインメモリ
１０２  ラインメモリ
１０３  バンドパスフィルタ１
１０４  バンドパスフィルタ１
１０５  バンドパスフィルタ１
１０６  反転回路
１０７  反転回路
１０８  最小値回路
１０９  最小値回路
１１０  最小値回路
１１１  最大値回路
１１２  最大値回路
１１３  最大値回路
１１４  最大値回路
１１５  最小値回路
１１６  加算器
１１７  ２分の１回路
１１８  最小値回路
１１９  最小値回路
１２０  最小値回路
１２１  最大値回路
１２２  減算器
１２３  3ライン色分離回路
１２３ａ  中間値検出部
１２４  バンドパスフィルタ２
１２５  バンドパスフィルタ２
１２６  バンドパスフィルタ２
１２７  切換回路
１２８  切換回路
１２９  切換回路
１３０  加算器
１３１  加算器
１３２  遅延回路
１３３  遅延回路
１３４  減算器
１３５  減算器
１３６  絶対値回路
１３７  絶対値回路
１３８  比較回路
１３９  比較回路
１４０  論理回路
１４１  輝度斜め相関検出回路
１４１ａ  斜め差分検出部
１４１ｂ  斜め成分判定部
２４２  減算器
２４３  絶対値回路
２４４  比較回路
２４５  輝度垂直相関検出回路
２４５ａ  垂直差分検出部
２４５ｂ  垂直相関判定部
２４６  論理回路
３４７  反転回路
３４８  反転回路
３４９  減算器
３５０  減算器
３５１  絶対値回路
３５２  絶対値回路
３５３  比較回路
３５４  比較回路
３５５  論理回路
３５６  垂直色相関検出回路
３５６ａ  隣接ライン間垂直差分検出部
３５６ｂ  隣接ライン間垂直相関判定部
３５７  論理回路
４５８  バンドパスフィルタ２
４５９  切換回路
【図１】
0003673513.tif 000002
【図２】
0003673513.tif 000003
【図３】
0003673513.tif 000004
【図４】
0003673513.tif 000005
【図５】
0003673513.tif 000006
【図６】
0003673513.tif 000007
【図７】
0003673513.tif 000008
【図８】
0003673513.tif 000009
【図９】
0003673513.tif 000010
【図１０】
0003673513.tif 000011
【図１１】
0003673513.tif 000012
【図１２】
0003673513.tif 000013
【図１３】
0003673513.tif 000014
【図１４】
0003673513.tif 000015